(57)【要約】【課題】優れた光学特性を有するように形成して、高い解像力を有し、スリムに形成することが容易であり、色収差を改善することができる撮像レンズを提供する。【解決手段】本発明の撮像レンズ１００は、正（＋）のパワーを有する第１レンズ１１０と、正（＋）のパワーを有する第２レンズ１２０と、正（＋）または負（−）のパワーを有する第３レンズ１３０と、正（＋）または負（−）のパワーを有する第４レンズ１４０と、正（＋）または負（−）のパワーを有する第５レンズ１５０と、負（−）のパワーを有する第６レンズ１６０と、を含み、第１レンズ１１０、第２レンズ１２０、第３レンズ１３０、第４レンズ１４０、第５レンズ１５０及び第６レンズ１６０は、物体側から順に配置されるものである。【選択図】図１
2014059561.tif 000002
【特許請求の範囲】
【請求項１】
正（＋）のパワーを有する第１レンズと、
正（＋）のパワーを有する第２レンズと、
正（＋）または負（−）のパワーを有する第３レンズと、
正（＋）または負（−）のパワーを有する第４レンズと、
正（＋）または負（−）のパワーを有する第５レンズと、
負（−）のパワーを有する第６レンズと、を含み、
前記第１レンズ、前記第２レンズ、前記第３レンズ、前記第４レンズ、前記第５レンズ及び前記第６レンズは、物体側から順に配置される撮像レンズ。
【請求項２】
前記第１レンズは、物体側に凸に形成される請求項１に記載の撮像レンズ。
【請求項３】
前記第３レンズまたは前記第４レンズのうち少なくとも何れか一つは、３０以下のアッベ数を有するように形成される請求項１に記載の撮像レンズ。
【請求項４】
前記第５レンズは、像面側に凸に形成される請求項１に記載の撮像レンズ。
【請求項５】
前記第５レンズは、正（＋）のパワーを有して、物体側に凸に形成される請求項１に記載の撮像レンズ。
【請求項６】
前記第５レンズは、正（＋）のパワーを有して、物体側に凹に形成される請求項１に記載の撮像レンズ。
【請求項７】
前記第５レンズは、負（−）のパワーを有して、物体側に凹に形成される請求項１に記載の撮像レンズ。
【請求項８】
前記第５レンズは、物体側の面または像面側の面のうち少なくとも一つの面に変曲点を有するように形成される請求項１に記載の撮像レンズ。
【請求項９】
前記第６レンズは、像面側の面に変曲点を有するように形成される請求項１に記載の撮像レンズ。
【請求項１０】
前記第６レンズは、像面側に凹に形成される請求項１に記載の撮像レンズ。
【請求項１１】
前記第１レンズの物体側の入射面から像面までの距離をＴＴＬ、前記撮像レンズの全体焦点距離をＦとしたときに、０．９５＜ＴＴＬ／Ｆ＜１．４５の条件式を満たす請求項１に記載の撮像レンズ。
【請求項１２】
前記第１レンズの物体側の入射面から像面までの距離をＴＴＬ、前記撮像レンズの全体焦点距離をＦとしたときに、１．１５＜ＴＴＬ／Ｆ＜１．４５の条件式を満たす請求項１に記載の撮像レンズ。
【請求項１３】
前記第１レンズと前記第２レンズの合成焦点距離をＦ１２、前記撮像レンズの全体焦点距離をＦとしたときに、０．５＜Ｆ／Ｆ１２＜２．５の条件式を満たす請求項１に記載の撮像レンズ。
【請求項１４】
前記第３レンズと前記第４レンズの合成焦点距離をＦ３４、前記撮像レンズの全体焦点距離をＦとしたときに、−２．５＜Ｆ／Ｆ３４＜−０．４の条件式を満たす請求項１に記載の撮像レンズ。
【請求項１５】
前記第３レンズは負（−）のパワーを有し、前記第４レンズは正（＋）のパワーを有するように形成される請求項１に記載の撮像レンズ。
【請求項１６】
前記第３レンズは負（−）のパワーを有し、前記第４レンズは負（−）のパワーを有するように形成される請求項１に記載の撮像レンズ。
【請求項１７】
前記第３レンズは正（＋）のパワーを有し、前記第４レンズは負（−）のパワーを有するように形成される請求項１に記載の撮像レンズ。
【請求項１８】
前記第３レンズは正（＋）のパワーを有し、前記第４レンズは正（＋）のパワーを有するように形成される請求項１に記載の撮像レンズ。
【請求項１９】
前記第１レンズから前記第５レンズのうち何れか一つより物体側または像面側に近く位置される絞りをさらに含む請求項１に記載の撮像レンズ。
【請求項２０】
前記絞りは、前記第１レンズの物体側の面と第３レンズの物体側の面との間に位置される請求項１９に記載の撮像レンズ。
【請求項２１】
第１レンズの焦点距離をＦ１、撮像レンズの全体焦点距離をＦとしたときに、０＜Ｆ／Ｆ１＜１．５の条件式を満たす請求項１に記載の撮像レンズ。
【請求項２２】
第３レンズの焦点距離をＦ３、撮像レンズの全体焦点距離をＦとしたときに、０．２＜｜Ｆ／Ｆ３｜＜２．５の条件式を満たす請求項１に記載の撮像レンズ。
【請求項２３】
第５レンズの焦点距離をＦ５、第６レンズの焦点距離をＦ６、撮像レンズの全体焦点距離をＦとしたときに、０．３＜Ｆ／Ｆ５＋Ｆ／Ｆ６＜６．０の条件式を満たす請求項１に記載の撮像レンズ。
【請求項２４】
第１レンズの物体側の入射面から像面までの距離をＴＴＬ、イメージハイト（Ｉｍａｇｅ  Ｈｅｉｇｈｔ）をＩｍｇＨとしたときに、０．３５＜ＴＴＬ／２ＩｍｇＨ＜０．９５の条件式を満たす請求項１に記載の撮像レンズ。
【請求項２５】
撮像レンズの視野角をＦＯＶとしたときに、６５＜ＦＯＶ＜８８の条件式を満たす請求項１に記載の撮像レンズ。
【請求項２６】
第１レンズと第２レンズのアッベ数の平均をｖ１２、第３レンズと第４レンズのアッベ数の平均をｖ３４としたときに、１０＜ｖ１２−ｖ３４＜４５の条件式を満たす請求項１に記載の撮像レンズ。
【請求項２７】
第３レンズの焦点距離をＦ３、第４レンズの焦点距離をＦ４、撮像レンズの全体焦点距離をＦとしたときに、０＜｜Ｆ／Ｆ３｜＋｜Ｆ／Ｆ４｜＜３の条件式を満たす請求項１に記載の撮像レンズ。
【請求項２８】
第１レンズの物体側の入射面から像面までの距離をＴＴＬ、撮像レンズの全体焦点距離をＦとしたときに、０．９５＜ＴＴＬ／Ｆ＜１．３５の条件式を満たす請求項１に記載の撮像レンズ。
【請求項２９】
第１レンズの像面側の面の曲率半径をｒ１２、撮像レンズの全体焦点距離をＦとしたときに、０．１５＜ｒ１２／Ｆ＜０．９の条件式を満たす請求項１に記載の撮像レンズ。
【請求項３０】
第１レンズの焦点距離をＦ１、第３レンズの焦点距離をＦ３としたときに、０＜｜Ｆ１／Ｆ３｜＜２５の条件式を満たす請求項１に記載の撮像レンズ。
【請求項３１】
第５レンズの物体側の面の曲率半径をｒ９、第５レンズの像面側の面の曲率半径をｒ１０としたときに、０＜｜（ｒ９−ｒ１０）／（ｒ９＋ｒ１０）｜＜６の条件式を満たす請求項１に記載の撮像レンズ。
【請求項３２】
撮像レンズの全体焦点距離をＦ、第１レンズの焦点距離をＦ１、第２レンズの焦点距離をＦ２としたときに、０．２＜｜Ｆ／Ｆ１｜＋｜Ｆ／Ｆ２｜＜４の条件式を満たす請求項１に記載の撮像レンズ。
【請求項３３】
第１レンズの焦点距離をＦ１、第２レンズの焦点距離をＦ２、第３レンズの焦点距離をＦ３、第４レンズの焦点距離をＦ４としたときに、０＜（｜Ｆ１｜＋｜Ｆ２｜）／（｜Ｆ３｜＋｜Ｆ４｜）＜３０の条件式を満たす請求項１に記載の撮像レンズ。
【請求項３４】
撮像レンズの全体焦点距離をＦ、第４レンズの焦点距離をＦ４、第５レンズの焦点距離をＦ５、第６レンズの焦点距離をＦ６としたときに、０．２０＜｜Ｆ／Ｆ４｜＋｜Ｆ／Ｆ５｜＋｜Ｆ／Ｆ６｜＜７．５の条件式を満たす請求項１に記載の撮像レンズ。
【請求項３５】
撮像レンズの全体焦点距離をＦ、光軸上で第１レンズの物体側の面と第６レンズの像面側の面との間の距離をＤＬとしたときに、０．７＜ＤＬ／Ｆ＜１．２の条件式を満たす請求項１に記載の撮像レンズ。
【請求項３６】
第４レンズのアッベ数をｖ４、第５レンズのアッベ数をｖ５としたときに、４２＜ｖ４＋ｖ５＜１１５の条件式を満たす請求項１に記載の撮像レンズ。
【発明の詳細な説明】
【技術分野】
【０００１】
本発明は、撮像レンズに関する。
【背景技術】
【０００２】
近年、携帯電話及びＰＤＡなどの携帯用端末機は、その技術の発展により、単純な電話機能だけでなく音楽、映画、ＴＶ、ゲームなどにマルチコンバージェンスとして使用されている。このようなマルチコンバージェンスへの展開を導いているものの一つとしては、カメラモジュール（ＣＡＭＥＲＡ  ＭＯＤＵＬＥ）が最も代表的である。
【０００３】
一般に、カメラモジュール（ＣＣＭ：ＣＯＭＰＡＣＴ  ＣＡＭＥＲＡ  ＭＯＵＤＵＬＥ）は小型であり、カメラ付き携帯電話やＰＤＡ、スマートフォンを始とする携帯用移動通信機器やトイカメラ（ＴＯＹ  ＣＡＭＥＲＡ）などの様々なＩＴ機器に適用されている。
【０００４】
従来のカメラモジュールに装着されるレンズの場合、高画素を実現するために４枚または５枚構造のレンズが用いられていたが、ピクセルサイズ（ｐｉｘｅｌ  ｓｉｚｅ）が小さくなることにより、その性能を実現することが困難となるという問題がある。
【発明の概要】
【発明が解決しようとする課題】
【０００５】
本発明は、上記の問題点を解決するために導き出されたものであって、本発明の目的は、優れた光学特性を有する撮像レンズを提供することにある。
【課題を解決するための手段】
【０００６】
本発明の実施例による撮像レンズは、正（＋）のパワーを有する第１レンズと、正（＋）のパワーを有する第２レンズと、正（＋）または負（−）のパワーを有する第３レンズと、正（＋）または負（−）のパワーを有する第４レンズと、正（＋）または負（−）のパワーを有する第５レンズと、負（−）のパワーを有する第６レンズと、を含み、前記第１レンズ、前記第２レンズ、前記第３レンズ、前記第４レンズ、前記第５レンズ及び前記第６レンズは、物体側から順に配置されるものである。
【０００７】
また、前記第１レンズは、物体側に凸に形成されることができる。
【０００８】
また、前記第３レンズまたは前記第４レンズのうち少なくとも何れか一つは、３０以下のアッベ数を有するように形成されることができる。
【０００９】
また、前記第５レンズは、像面側に凸に形成されることができる。
【００１０】
また、前記第５レンズは、正（＋）のパワーを有して、物体側に凸に形成されることができる。
【００１１】
また、前記第５レンズは、正（＋）のパワーを有して、物体側に凹に形成されることができる。
【００１２】
また、前記第５レンズは、負（−）のパワーを有して、物体側に凹に形成されることができる。
【００１３】
また、前記第６レンズは、像面側の面に変曲点を有するように形成されることができる。
【００１４】
また、前記第６レンズは、像面側に凹に形成されることができる。
【００１５】
また、前記第１レンズの物体側の入射面から像面までの距離をＴＴＬ、前記撮像レンズの全体焦点距離をＦとしたときに、０．９５＜ＴＴＬ／Ｆ＜１．４５の条件式を満たすことができる。
【００１６】
また、前記第１レンズの物体側の入射面から像面までの距離をＴＴＬ、前記撮像レンズの全体焦点距離をＦとしたときに、１．１５＜ＴＴＬ／Ｆ＜１．４５の条件式を満たすことができる。
【００１７】
また、前記第１レンズと前記第２レンズの合成焦点距離をＦ１２、前記撮像レンズの全体焦点距離をＦとしたときに、０．５＜Ｆ／Ｆ１２＜２．５の条件式を満たすことができる。
【００１８】
また、前記第３レンズと前記第４レンズの合成焦点距離をＦ３４、前記撮像レンズの全体焦点距離をＦとしたときに、−２．５＜Ｆ／Ｆ３４＜−０．４の条件式を満たすことができる。
【００１９】
また、前記第３レンズは負（−）のパワーを有し、前記第４レンズは正（＋）のパワーを有するように形成されることができる。
【００２０】
また、前記第３レンズは負（−）のパワーを有し、前記第４レンズは負（−）のパワーを有するように形成されることができる。
【００２１】
また、前記第３レンズは正（＋）のパワーを有し、前記第４レンズは負（−）のパワーを有するように形成されることができる。
【００２２】
また、前記第３レンズは正（＋）のパワーを有し、前記第４レンズは正（＋）のパワーを有するように形成されることができる。
【００２３】
また、前記第１レンズから前記第５レンズのうち何れか一つより物体側または像面側に近く位置される絞りをさらに含むことができる。
【００２４】
また、前記絞りは、前記第１レンズの物体側の面と第３レンズの物体側の面との間に位置されることができる。
【００２５】
また、第１レンズの焦点距離をＦ１、撮像レンズの全体焦点距離をＦとしたときに、０＜Ｆ／Ｆ１＜１．５の条件式を満たすことができる。
【００２６】
また、第３レンズの焦点距離をＦ３、撮像レンズの全体焦点距離をＦとしたときに、０．２＜｜Ｆ／Ｆ３｜＜２．５の条件式を満たすことができる。
【００２７】
また、第５レンズの焦点距離をＦ５、第６レンズの焦点距離をＦ６、撮像レンズの全体焦点距離をＦとしたときに、０．３＜Ｆ／Ｆ５＋Ｆ／Ｆ６＜６．０の条件式を満たすことができる。
【００２８】
また、第１レンズの物体側の入射面から像面までの距離をＴＴＬ、イメージハイト（Ｉｍａｇｅ  Ｈｅｉｇｈｔ）をＩｍｇＨとしたときに、０．３５＜ＴＴＬ／２ＩｍｇＨ＜０．９５の条件式を満たすことができる。
【００２９】
また、撮像レンズの視野角をＦＯＶとしたときに、６５＜ＦＯＶ＜８８の条件式を満たすことができる。
【００３０】
また、第１レンズと第２レンズのアッベ数の平均をｖ１２、第３レンズと第４レンズのアッベ数の平均をｖ３４としたときに、１０＜ｖ１２−ｖ３４＜４５の条件式を満たすことができる。
【００３１】
また、第３レンズの焦点距離をＦ３、第４レンズの焦点距離をＦ４、撮像レンズの全体焦点距離をＦとしたときに、０＜｜Ｆ／Ｆ３｜＋｜Ｆ／Ｆ４｜＜３の条件式を満たすことができる。
【００３２】
また、第１レンズの物体側の入射面から像面までの距離をＴＴＬ、撮像レンズの全体焦点距離をＦとしたときに、０．９５＜ＴＴＬ／Ｆ＜１．３５の条件式を満たすことができる。
【００３３】
また、第１レンズの像面側の面の曲率半径をｒ１２、撮像レンズの全体焦点距離をＦとしたときに、０．１５＜ｒ１２／Ｆ＜０．９の条件式を満たすことができる。
【００３４】
また、第１レンズの焦点距離をＦ１、第３レンズの焦点距離をＦ３としたときに、０＜｜Ｆ１／Ｆ３｜＜２５の条件式を満たすことができる。
【００３５】
また、第５レンズの物体側の面の曲率半径をｒ９、第５レンズの像面側の面の曲率半径をｒ１０としたときに、０＜｜（ｒ９−ｒ１０）／（ｒ９＋ｒ１０）｜＜６の条件式を満たすことができる。
【００３６】
また、撮像レンズの全体焦点距離をＦ、第１レンズの焦点距離をＦ１、第２レンズの焦点距離をＦ２としたときに、０．２＜｜Ｆ／Ｆ１｜＋｜Ｆ／Ｆ２｜＜４の条件式を満たすことができる。
【００３７】
また、第１レンズの焦点距離をＦ１、第２レンズの焦点距離をＦ２、第３レンズの焦点距離をＦ３、第４レンズの焦点距離をＦ４としたときに、０＜（｜Ｆ１｜＋｜Ｆ２｜）／（｜Ｆ３｜＋｜Ｆ４｜）＜３０の条件式を満たすことができる。
【００３８】
また、撮像レンズの全体焦点距離をＦ、第４レンズの焦点距離をＦ４、第５レンズの焦点距離をＦ５、第６レンズの焦点距離をＦ６としたときに、０．２０＜｜Ｆ／Ｆ４｜＋｜Ｆ／Ｆ５｜＋｜Ｆ／Ｆ６｜＜７．５の条件式を満たすことができる。
【００３９】
また、撮像レンズの全体焦点距離をＦ、光軸上で第１レンズの物体側の面と第６レンズの像面側の面との間の距離をＤＬとしたときに、０．７＜ＤＬ／Ｆ＜１．２の条件式を満たすことができる。
【００４０】
また、第４レンズのアッベ数をｖ４、第５レンズのアッベ数をｖ５としたときに、４２＜ｖ４＋ｖ５＜１１５の条件式を満たすことができる。
【００４１】
また、第５レンズは、物体側の面または像面側の面のうち少なくとも一つの面に変曲点を有するように形成されることができる。
【００４２】
また、前記第５レンズは、負（−）のパワーを有することができる。
【００４３】
また、前記第５レンズは、物体側に凹に形成されることができる。
【発明の効果】
【００４４】
本発明によると、撮像レンズを優れた光学特性を有するように形成して、高い解像力を有し、スリムに形成することが容易であり、色収差を改善することができる。
【図面の簡単な説明】
【００４５】
【図１】本発明の第１実施例による撮像レンズの内部構造を概略的に示した側断面図（写真）である。
【図２】本発明の第１実施例による収差特性を示したグラフ（写真）である。
【図３】本発明の第１実施例による収差特性を示したグラフ（写真）である。
【図４】本発明の第２実施例による撮像レンズの内部構造を概略的に示した側断面図（写真）である。
【図５】本発明の第２実施例による収差特性を示したグラフ（写真）である。
【図６】本発明の第２実施例による収差特性を示したグラフ（写真）である。
【図７】本発明の第３実施例による撮像レンズの内部構造を概略的に示した側断面図（写真）である。
【図８】本発明の第３実施例による収差特性を示したグラフ（写真）である。
【図９】本発明の第３実施例による収差特性を示したグラフ（写真）である。
【図１０】本発明の第４実施例による撮像レンズの内部構造を概略的に示した側断面図（写真）である。
【図１１】本発明の第４実施例による収差特性を示したグラフ（写真）である。
【図１２】本発明の第４実施例による収差特性を示したグラフ（写真）である。
【図１３】本発明の第５実施例による撮像レンズの内部構造を概略的に示した側断面図（写真）である。
【図１４】本発明の第５実施例による収差特性を示したグラフ（写真）である。
【図１５】本発明の第５実施例による収差特性を示したグラフ（写真）である。
【図１６】本発明の第６実施例による撮像レンズの内部構造を概略的に示した側断面図（写真）である。
【図１７】本発明の第６実施例による収差特性を示したグラフ（写真）である。
【図１８】本発明の第７実施例による撮像レンズの内部構造を概略的に示した側断面図（写真）である。
【図１９】本発明の第７実施例による収差特性を示したグラフ（写真）である。
【図２０】本発明の第８実施例による撮像レンズの内部構造を概略的に示した側断面図（写真）である。
【図２１】本発明の第８実施例による収差特性を示したグラフ（写真）である。
【図２２】本発明の第９実施例による撮像レンズの内部構造を概略的に示した側断面図（写真）である。
【図２３】本発明の第９実施例による収差特性を示したグラフ（写真）である。
【図２４】本発明の第１０実施例による撮像レンズの内部構造を概略的に示した側断面図（写真）である。
【図２５】本発明の第１０実施例による収差特性を示したグラフ（写真）である。
【図２６】本発明の第１１実施例による撮像レンズの内部構造を概略的に示した側断面図（写真）である。
【図２７】本発明の第１１実施例による収差特性を示したグラフ（写真）である。
【図２８】本発明の第１２実施例による撮像レンズの内部構造を概略的に示した側断面図（写真）である。
【図２９】本発明の第１２実施例による収差特性を示したグラフ（写真）である。
【図３０】本発明の第１３実施例による撮像レンズの内部構造を概略的に示した側断面図（写真）である。
【図３１】本発明の第１３実施例による収差特性を示したグラフ（写真）である。
【図３２】本発明の第１４実施例による撮像レンズの内部構造を概略的に示した側断面図（写真）である。
【図３３】本発明の第１４実施例による収差特性を示したグラフ（写真）である。
【図３４】本発明の第１５実施例による撮像レンズの内部構造を概略的に示した側断面図（写真）である。
【図３５】本発明の第１５実施例による収差特性を示したグラフ（写真）である。
【図３６】本発明の第１６実施例による撮像レンズの内部構造を概略的に示した側断面図（写真）である。
【図３７】本発明の第１６実施例による収差特性を示したグラフ（写真）である。
【図３８】本発明の第１７実施例による撮像レンズの内部構造を概略的に示した側断面図（写真）である。
【図３９】本発明の第１７実施例による収差特性を示したグラフ（写真）である。
【図４０】本発明の第１８実施例による撮像レンズの内部構造を概略的に示した側断面図（写真）である。
【図４１】本発明の第１８実施例による収差特性を示したグラフ（写真）である。
【図４２】本発明の第１９実施例による撮像レンズの内部構造を概略的に示した側断面図（写真）である。
【図４３】本発明の第１９実施例による収差特性を示したグラフ（写真）である。
【発明を実施するための形態】
【００４６】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００４７】
以下、添付図面を参照して、本発明の好ましい実施例を詳細に説明する。
【００４８】
＜第１実施例＞
図１は、本発明の第１実施例による撮像レンズの内部構造を概略的に示した側断面図である。
【００４９】
図１を参照すると、本発明の第１実施例による撮像レンズ１００は、物体側から順に配置される第１レンズ１１０と、第２レンズ１２０と、第３レンズ１３０と、第４レンズ１４０と、第５レンズ１５０と、第６レンズ１６０と、を含んでなる。また、本発明の第１実施例による撮像レンズ１００は、前記第１レンズ１１０から前記第６レンズ１６０のうち何れか一つより物体側または像面側に近く位置される絞り１０５をさらに含むものである。
【００５０】
まず、物体（被写体）の映像を獲得するために、物体の映像情報に該当する光は、第１レンズ１１０、絞り１０５、第２レンズ１２０、第３レンズ１３０、第４レンズ１４０、第５レンズ１５０、第６レンズ１６０及びフィルタ１７０を順に通過して、受光素子１８０に入射される。
【００５１】
ここで、第１レンズ１１０は、正（＋）のパワー（ｐｏｗｅｒ）を有し、物体側に凸の形態に形成される。
【００５２】
また、第２レンズ１２０は、正（＋）のパワーを有するように形成される。
【００５３】
さらに、第３レンズ１３０は、負（−）のパワーを有するように形成される。
【００５４】
また、第４レンズ１４０は、正（＋）のパワーを有するように形成される。
【００５５】
ここで、第３レンズ１３０及び第４レンズ１４０のうち少なくとも何れか一つ以上は、Ｖ＜３０の範囲のアッベ数（Ｖ）（Ａｂｂｅ  ｎｕｍｂｅｒ）を有するように形成されて、色収差を顕著に低減することができる。しかし、本発明が必ずしもこれに限定されるものではなく、例えば、第３レンズ１３０及び第４レンズ１４０のうち少なくとも何れか一つ以上は、２０＜Ｖ＜３０の範囲のアッベ数（Ｖ）を有するように形成されて、色収差をさらに顕著に低減することができる。
【００５６】
また、第５レンズ１５０は、正（＋）のパワーを有し、物体側及び像面側に凸の形態に形成されることができる。この際、第５レンズ１５０は、物体側の面または像面側の面のうち少なくとも一つの面に変曲点を有するように形成される。
【００５７】
さらに、第６レンズ１６０は、負（−）のパワーを有し、像面側の面に変曲点を有するように形成される。
【００５８】
ここで、第１レンズ１１０、第２レンズ１２０、第３レンズ１３０、第４レンズ１４０、第５レンズ１５０及び第６レンズ１６０は、非球面に形成されることができるが、本発明がこれに限定されるものではない。
【００５９】
また、絞り１０５は、第１レンズ１１０から第５レンズ１５０のうち何れか一つより物体側または像面側に近く配置されており、入射光を選択的に収斂して焦点距離を調節する。この際、一例として、絞り１０５は第１レンズ１１０より物体側または像面側に近く配置されることができる。また、他の例として、絞り１０５は第１レンズ１１０の物体側の面と第３レンズ１３０の物体側の面との間に配置されることができる。しかし、本発明の第１実施例による絞り１０５の位置は、一例及び他の例に限定されない。
【００６０】
また、フィルタ１７０は、赤外線遮断フィルタ（ＩＲ  ｃｕｔ  ｆｉｌｔｅｒ）からなることができるが、本発明の第１実施例によるフィルタ１７０の種類がこれに限定されるものではない。
【００６１】
この際、赤外線遮断フィルタは、外部光から放出される輻射熱が前記受光素子１８０に伝達されないように遮断する機能をする。
【００６２】
即ち、赤外線遮断フィルタは、可視光線は透過させ、赤外線は反射させて外部に放出させる構造を有する。
【００６３】
また、像が結ばれる面を含む受光素子１８０は、被写体映像に対応する光信号を電気的信号に変換するイメージセンサからなることができる。この際、イメージセンサは、例えば、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサであることができるが、本発明の受光素子が必ずしもこれに限定されるものではない。
【００６４】
本発明の第１実施例による撮像レンズ１００は、次の表１に示す光学特性を有する。
【００６５】
【表１】
2014059561.tif 000003
【００６６】
前記表１に示されたように、本発明の第１実施例による撮像レンズ１００の前記第１レンズ１１０（Ｌ１）、前記第２レンズ１２０（Ｌ２）、前記第３レンズ１３０（Ｌ３）、前記第４レンズ１４０（Ｌ４）、前記第５レンズ１５０（Ｌ５）及び前記第６レンズ１６０（Ｌ６）は、全ての面が非球面である。
【００６７】
また、前記表１に記載の「−」値は、定義されていない値を意味する。
【００６８】
また、前記Ｓ１は、本発明の実施例において撮像レンズ１００の光量を決定づける面を意味し、前記Ｓ１の備考に記載の「Ｓｔｏｐ」は、光量を調節するために用いられる前記開口絞り１０５（Ｓ１）を意味する。
【００６９】
ここで、絞り１０５が第１レンズ１１０の物体側の面に配置されているが、本発明の第１実施例による絞り１０５の位置はこれに限定されない。また、本発明の撮像レンズ１００が絞り１０５を必ず含むと限定されるものではない。
【００７０】
下記の表２は、本発明の第１実施例による非球面レンズの非球面係数値である。
【００７１】
【表２】
2014059561.tif 000004
【００７２】
前記表１及び表２に記載されたように、Ｓ１は光量を調節するために用いられる開口絞り１０５（Ｓ１）であって、平面（ｆｌａｔ）であるため非球面係数値がない。
【００７３】
また、Ｓ１４及びＳ１５はフィルタ１７０であり、Ｓ１６は受光素子１８０であるイメージセンサであって、平面であるため非球面係数値がない。
【００７４】
また、本発明の第１実施例における非球面係数値は、次の数式１で求めることができる。
【００７５】
【数１】
2014059561.tif 000005
【００７６】
Ｚ：レンズの頂点から光軸方向への距離
ｃ：レンズの基本曲率
Ｙ：光軸に垂直な方向への距離
Ｋ：コーニック定数（Ｃｏｎｉｃ  Ｃｏｎｓｔａｎｔ）
Ａ、Ｂ、Ｃ、Ｄ、Ｅ：非球面係数（Ａｓｐｈｅｒｉｃ  Ｃｏｎｓｔａｎｔ）
【００７７】
また、本発明の第１実施例による前記撮像レンズ１００の全体焦点距離をＦ、第１レンズ１１０、第２レンズ１２０、第３レンズ１３０、第４レンズ１４０、第５レンズ１５０及び第６レンズ１６０の焦点距離をそれぞれＦ１、Ｆ２、Ｆ３、Ｆ４、Ｆ５及びＦ６としたときに、それぞれの値は、次の表３のとおりである。
【００７８】
【表３】
2014059561.tif 000006
【００７９】
本発明の第１実施例による撮像レンズ１００において、第１レンズ１１０の物体側の入射面から像面までの距離をＴＴＬ、撮像レンズ１００の全体焦点距離をＦとしたときに、次の条件式を満たすことができる。
【００８０】
０．９５＜ＴＴＬ／Ｆ＜１．３５    （１）
【００８１】
前記条件式（１）は、本発明の第１実施例による撮像レンズ１００のＴＴＬとパワー（Ｐｏｗｅｒ）の関係式であり、前記条件式（１）を満たすことにより、テレフォト（Ｔｅｌｅｐｈｏｔｏ）タイプが可能な撮像レンズ１００を形成することができる。
【００８２】
また、本発明の第１実施例によると、第１レンズ１１０の物体側の入射面から像面までの距離をＴＴＬ、撮像レンズ１００の全体焦点距離をＦとしたときに、次の条件式を満たすことができる。
【００８３】
１．１５＜ＴＴＬ／Ｆ＜１．４５    （２）
【００８４】
前記条件式（２）を満たすことにより、商品性がより良好であり、光学的性能をより容易に確保できるだけでなく、よりスリム（ｓｌｉｍ）な撮像レンズ１００を形成することができる。
【００８５】
また、本発明の第１実施例によると、第１レンズ１１０と第２レンズ１２０の合成焦点距離をＦ１２、撮像レンズ１００の全体焦点距離をＦとしたときに、次の条件式を満たすことができる。
【００８６】
０．５＜Ｆ／Ｆ１２＜２．５    （３）
【００８７】
前記条件式（３）は、本発明の第１実施例による第１レンズ１１０と前記第２レンズ１２０のパワーの関係式であり、条件式（３）より小さいかまたは大きい値に撮像レンズ１００が設計される場合、軸上性能が劣化して商品性が劣り、光学的性能を確保することが困難となる。
【００８８】
従って、前記条件式（３）を満たすことにより、軸上性能が向上して商品性が良好であり、光学的性能を容易に確保できる撮像レンズ１００を形成することができる。
【００８９】
尚、本発明の第１実施例による撮像レンズ１００の第３レンズ１３０と第４レンズ１４０の合成焦点距離をＦ３４、撮像レンズ１００の全体焦点距離をＦとしたときに、次の条件式を満たすことができる。
【００９０】
−２．５＜Ｆ／Ｆ３４＜−０．４    （４）
【００９１】
前記条件式（４）は、本発明の第１実施例による第３レンズ１３０と第４レンズ１４０のパワーの関係式であり、条件式（４）より小さいかまたは大きい値に撮像レンズ１００が設計される場合、色収差及び軸外収差が発生する。
【００９２】
従って、前記条件式（４）を満たすことにより、色収差及び軸外収差を補正することができて商品性が良好であり、光学的性能を容易に確保できる撮像レンズ１００を形成することができる。
【００９３】
また、本発明の第１実施例による撮像レンズ１００において、第１レンズ１１０の焦点距離をＦ１、撮像レンズ１００の全体焦点距離をＦとしたときに、次の条件式を満たすことができる。
【００９４】
０＜Ｆ／Ｆ１＜１．５    （５）
【００９５】
前記条件式（５）は、本発明の第１実施例による第１レンズ１１０のパワーの関係式であり、条件式（５）より小さいかまたは大きい値に撮像レンズ１００が設計される場合、屈折力が減少して敏感度が低下する。
【００９６】
従って、前記条件式（５）を満たすことにより、屈折力の減少を防止して敏感度が良好な撮像レンズ１００を形成することができる。
【００９７】
また、本発明の第１実施例による撮像レンズ１００において、第３レンズ１３０の焦点距離をＦ３、撮像レンズ１００の全体焦点距離をＦとしたときに、次の条件式を満たすことができる。
【００９８】
０．２＜｜Ｆ／Ｆ３｜＜２．５    （６）
【００９９】
前記条件式（６）は、本発明の第１実施例による第３レンズ１３０のパワーの関係式であり、条件式（６）より小さいかまたは大きい値に撮像レンズ１００が設計される場合、屈折力が分散して敏感度が低下する。
【０１００】
従って、前記条件式（６）を満たすことにより、屈折力の分散を防止して敏感度が良好な撮像レンズ１００を形成することができる。
【０１０１】
また、本発明の第１実施例による撮像レンズ１００において、第５レンズ１５０の焦点距離をＦ５、第６レンズ１６０の焦点距離をＦ６、撮像レンズ１００の全体焦点距離をＦとしたときに、次の条件式を満たすことができる。
【０１０２】
０．３＜Ｆ／Ｆ５＋Ｆ／Ｆ６＜６．０    （７）
【０１０３】
前記条件式（７）は、本発明の第１実施例による第５レンズ１５０及び第６レンズ１６０のパワーの関係式であり、前記条件式（７）を満たすことにより、テレフォトタイプが可能な撮像レンズ１００を形成することができる。
【０１０４】
また、本発明の第１実施例による撮像レンズ１００において、第１レンズ１１０の物体側の入射面から像面までの距離をＴＴＬ、イメージハイト（Ｉｍａｇｅ  Ｈｅｉｇｈｔ）をＩｍｇＨとしたときに、次の条件式を満たすことができる。
【０１０５】
０．３５＜ＴＴＬ／２ＩｍｇＨ＜０．９５    （８）
【０１０６】
前記条件式（８）は、第１実施例による撮像レンズ１００のＴＴＬとパワーの関係式であり、前記条件式（８）を満たすことにより、スリムな形態に撮像レンズ１００を形成することができる。
【０１０７】
また、本発明の第１実施例によると、撮像レンズ１００の視野角をＦＯＶ（Ｆｉｅｌｄ  Ｏｆ  Ｖｉｅｗ）としたときに、次の条件式を満たすことができる。
【０１０８】
６５＜ＦＯＶ＜８８    （９）
【０１０９】
前記条件式（９）は、本発明の第１実施例による撮像レンズ１００の視野角に係る関係式であり、前記条件式（９）を満たすことにより、スリムでかつ準広角の形態に撮像レンズ１００を形成することができる。
【０１１０】
また、本発明の第１実施例による撮像レンズ１００において、第１レンズ１１０と第２レンズ１２０のアッベ数の平均（ａｖｅｒａｇｅ）をｖ１２、第３レンズ１３０と第４レンズ１４０のアッベ数の平均をｖ３４としたときに、次の条件式を満たすことができる。
【０１１１】
１０＜ｖ１２−ｖ３４＜４５    （１０）
【０１１２】
前記条件式（１０）は、本発明の第１実施例による第１レンズ１１０と第２レンズ１２０及び第３レンズ１３０と第４レンズ１４０の分散に係る関係式であり、前記条件式（１０）を満たすことにより、色収差を効果的に低減させることができる。
【０１１３】
また、本発明の第１実施例による撮像レンズ１００において、第３レンズ１３０の焦点距離をＦ３、第４レンズ１４０の焦点距離をＦ４、撮像レンズ１００の全体焦点距離をＦとしたときに、次の条件式を満たすことができる。
【０１１４】
０＜｜Ｆ／Ｆ３｜＋｜Ｆ／Ｆ４｜＜３    （１１）
【０１１５】
前記条件式（１１）は、本発明の第１実施例による第３レンズ１３０及び第４レンズ１４０の屈折力に係る関係式であり、前記条件式（１１）を満たすことにより、収差を低減させることができる。
【０１１６】
また、本発明の第１実施例による撮像レンズ１００において、第１レンズ１１０の像面側の面の曲率半径をｒ１２、撮像レンズ１００の全体焦点距離をＦとしたときに、次の条件式を満たすことができる。
【０１１７】
０．１５＜ｒ１２／Ｆ＜０．９    （１２）
【０１１８】
前記条件式（１２）は、本発明の第１実施例による第１レンズ１１０の像面側の面の曲率半径に係るパワーの関係式であり、前記条件式（１２）を満たすことにより、光学特性に優れた撮像レンズ１００を形成することができる。
【０１１９】
また、本発明の第１実施例による撮像レンズ１００において、第１レンズ１１０の焦点距離をＦ１、第３レンズ１３０の焦点距離をＦ３としたときに、次の条件式を満たすことができる。
【０１２０】
０＜｜Ｆ１／Ｆ３｜＜２５    （１３）
【０１２１】
前記条件式（１３）は、本発明の第１実施例による第１レンズ１１０及び第３レンズ１３０のパワーの関係式であり、前記条件式（１３）を満たすことにより、光学特性に優れた撮像レンズ１００を形成することができる。
【０１２２】
また、本発明の第１実施例による撮像レンズ１００において、第５レンズ１５０の物体側の面の曲率半径をｒ９、第５レンズ１５０の像面側の面の曲率半径をｒ１０としたときに、次の条件式を満たすことができる。
【０１２３】
０＜｜（ｒ９−ｒ１０）／（ｒ９＋ｒ１０）｜＜６    （１４）
【０１２４】
前記条件式（１４）は、本発明の第１実施例による第５レンズ１５０のパワーの関係式であり、前記条件式（１４）を満たすことにより、正（＋）のパワーを有する第５レンズ１５０を形成することができる。
【０１２５】
また、本発明の第１実施例による撮像レンズ１００において、撮像レンズ１００の全体焦点距離をＦ、第１レンズ１１０の焦点距離をＦ１、第２レンズ１２０の焦点距離をＦ２としたときに、次の条件式を満たすことができる。
【０１２６】
０．２＜｜Ｆ／Ｆ１｜＋｜Ｆ／Ｆ２｜＜４    （１５）
【０１２７】
前記条件式（１５）は、本発明の第１実施例による撮像レンズ１００全体のパワーを決定する関係式であり、前記条件式（１５）を満たすことにより、光学特性に優れた撮像レンズ１００を形成することができる。
【０１２８】
また、本発明の第１実施例による撮像レンズ１００において、第１レンズ１１０の焦点距離をＦ１、第２レンズ１２０の焦点距離をＦ２、第３レンズ１３０の焦点距離をＦ３、第４レンズ１４０の焦点距離をＦ４としたときに、次の条件式を満たすことができる。
【０１２９】
０＜（｜Ｆ１｜＋｜Ｆ２｜）／（｜Ｆ３｜＋｜Ｆ４｜）＜３０    （１６）
【０１３０】
前記条件式（１６）は、本発明の第１実施例による第１レンズ１１０、第２レンズ１２０、第３レンズ１３０及び第４レンズ１４０のパワーの関係式であり、前記条件式（１６）を満たすことにより、光学特性に優れた撮像レンズ１００を形成することができる。
【０１３１】
また、本発明の第１実施例による撮像レンズ１００において、撮像レンズ１００の全体焦点距離をＦ、第４レンズ１４０の焦点距離をＦ４、第５レンズ１５０の焦点距離をＦ５、第６レンズ１６０の焦点距離をＦ６としたときに、次の条件式を満たすことができる。
【０１３２】
０．２０＜｜Ｆ／Ｆ４｜＋｜Ｆ／Ｆ５｜＋｜Ｆ／Ｆ６｜＜７．５    （１７）
【０１３３】
前記条件式（１７）は、本発明の第１実施例による第４レンズ１４０、第５レンズ１５０及び第６レンズ１６０のパワーの関係式であり、前記条件式（１７）を満たすことにより、光学特性に優れた撮像レンズ１００を形成することができる。
【０１３４】
また、本発明の第１実施例による撮像レンズ１００において、撮像レンズ１００の全体焦点距離をＦ、光軸上で第１レンズ１１０の物体側の面と第６レンズ１６０の像面側の面との間の距離をＤＬとしたときに、次の条件式を満たすことができる。
【０１３５】
０．７＜ＤＬ／Ｆ＜１．２    （１８）
【０１３６】
前記条件式（１８）を満たすことにより、コンパクト（ｃｏｍｐａｃｔ）な撮像レンズ１００を形成することができる。
【０１３７】
また、本発明の第１実施例による撮像レンズ１００において、第４レンズ１４０のアッベ数をｖ４、第５レンズ１５０のアッベ数をｖ５としたときに、次の条件式を満たすことができる。
【０１３８】
４２＜ｖ４＋ｖ５＜１１５    （１９）
【０１３９】
前記条件式（１９）は、本発明の第１実施例による第４レンズ１４０と第５レンズ１５０の分散に係る関係式であり、前記条件式（１９）を満たすことにより、光学特性に優れた撮像レンズ１００を形成することができる。
【０１４０】
図２及び図３は、本発明の第１実施例による収差特性を示したグラフである。この際、図２及び図３は、多数の波長を多数の色で表示して収差特性を示す。
【０１４１】
ここで、図２は、本発明の第１実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。また、図３は、本発明の第１実施例によるコマ収差（Ｃｏｍａ  Ａｂｅｒｒａｔｉｏｎ）を測定したグラフである。
【０１４２】
図２に示したように、球面収差を測定したグラフは各波長による球面収差を示す。ここで、各波長が垂直軸に隣接して示されることから、球面収差特性に優れていることが分かる。
【０１４３】
また、非点収差を測定したグラフは、物体側からみたときの像面高さ（ＡＮＧＬＥ、垂直軸）及びフォーカス（ＦＯＣＵＳ、水平軸）位置によるｘ軸光の方向成分（Ｘ）とｙ軸光の方向成分（Ｙ）の収差特性を示す。ここで、Ｘ、Ｙが互いに隣接して示されることから、イメージのぼけがなく、解像力の劣化現象が生じないことが分かる。
【０１４４】
また、歪曲収差を測定したグラフは、物体側からみたときの像面高さ（ＡＮＧＬＥ）による歪曲（Ｄｉｓｔｏｒｔｉｏｎ、水平軸)特性を示す。ここで、歪曲度が主に歪曲（Ｄｉｓｔｏｒｔｉｏｎ、水平軸）の−１〜＋１の間に位置していることから、実際に歪曲が殆どないことが分かる。
【０１４５】
図３に示したように、コマ収差を測定したグラフは、像面の高さによって各波長によるタンジェンシャル（Ｔａｎｇｅｎｔｉａｌ）及びサジタル（Ｓａｇｉｔｔａｌ）の収差特性を示す。この際、各波長が水平軸上に隣接して示されることから、横色収差が小さく現われることが分かる。
【０１４６】
＜第２実施例＞
図４は、本発明の第２実施例による撮像レンズの内部構造を概略的に示した側断面図である。
【０１４７】
図４を参照すると、本発明の第２実施例による撮像レンズ２００は、物体側から順に配置される第１レンズ２１０と、第２レンズ２２０と、第３レンズ２３０と、第４レンズ２４０と、第５レンズ２５０と、第６レンズ２６０と、を含んでなる。
【０１４８】
また、本発明の第２実施例による撮像レンズ２００は、前記第１レンズ２１０から前記第６レンズ２６０のうち何れか一つより物体側または像面側に近く位置される絞り２０５をさらに含むことができる。
【０１４９】
まず、物体（被写体）の映像を獲得するために、物体の映像情報に該当する光は、第１レンズ２１０、絞り２０５、第２レンズ２２０、第３レンズ２３０、第４レンズ２４０、第５レンズ２５０、第６レンズ２６０及びフィルタ２７０を順に通過して、受光素子２８０に入射される。
【０１５０】
ここで、第１レンズ２１０は正（＋）のパワーを有し、物体側に凸の形態に形成される。
【０１５１】
また、第２レンズ２２０は正（＋）のパワーを有するように形成される。
【０１５２】
さらに、第３レンズ２３０及び第４レンズ２４０は、それぞれ負（−）のパワーを有するように形成されることができるが、本発明が必ずしもこれに限定されるものではなく、例えば、第３レンズ２３０及び第４レンズ２４０がそれぞれ正（＋）のパワーを有するように形成されることができる。
【０１５３】
ここで、第３レンズ２３０及び第４レンズ２４０のうち少なくとも何れか一つ以上は、Ｖ＜３０の範囲のアッベ数（Ｖ）を有するように形成されて、色収差を顕著に低減することができる。しかし、本発明が必ずしもこれに限定されるものではなく、例えば、第３レンズ２３０及び第４レンズ２４０のうち少なくとも何れか一つ以上は、２０＜Ｖ＜３０の範囲のアッベ数（Ｖ）を有するように形成されて、色収差をさらに顕著に低減することができる。
【０１５４】
また、第５レンズ２５０は、正（＋）のパワーを有し、物体側及び像面側に凸の形態に形成されることができる。この際、第５レンズ２５０は、物体側の面または像面側の面のうち少なくとも一つの面に変曲点を有するように形成される。
【０１５５】
さらに、第６レンズ２６０は、負（−）のパワーを有し、像面側に凹に形成され、像面側の面に変曲点を有するように形成される。
【０１５６】
ここで、第１レンズ２１０、第２レンズ２２０、第３レンズ２３０、第４レンズ２４０、第５レンズ２５０及び第６レンズ２６０は、非球面に形成されることができるが、本発明がこれに限定されるものではない。
【０１５７】
また、絞り２０５は、第１レンズ２１０から第５レンズ２５０のうち何れか一つより物体側または像面側に近く配置されており、入射光を選択的に収斂して焦点距離を調節する。この際、一例として、絞り２０５は、第１レンズ２１０より物体側または像面側に近く配置されることができる。また、他の例として、絞り２０５は第１レンズ２１０の物体側の面と第３レンズ２３０の物体側の面との間に配置されることができる。しかし、本発明の第２実施例による絞り２０５の位置は、一例及び他の例に限定されない。
【０１５８】
また、フィルタ２７０は、赤外線遮断フィルタ（ＩＲ  ｃｕｔ  ｆｉｌｔｅｒ）からなることができるが、本発明の第２実施例によるフィルタ２７０の種類がこれに限定されるものではない。
【０１５９】
この際、赤外線遮断フィルタは、外部光から放出される輻射熱が前記受光素子２８０に伝達されないように遮断する機能をする。
【０１６０】
即ち、赤外線遮断フィルタは、可視光線は透過させ、赤外線は反射させて外部に放出させる構造を有する。
【０１６１】
また、像が結ばれる面を含む受光素子２８０は、被写体映像に対応する光信号を電気的信号に変換するイメージセンサからなることができる。この際、イメージセンサは、例えば、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサであることができるが、本発明の受光素子が必ずしもこれに限定されるものではない。
【０１６２】
本発明の第２実施例による撮像レンズ２００は、次の表４に示す光学特性を有する。
【０１６３】
【表４】
2014059561.tif 000007
【０１６４】
前記表４に図示されたように、本発明の第２実施例による撮像レンズ２００の前記第１レンズ２１０（Ｌ１）、前記第２レンズ２２０（Ｌ２）、前記第３レンズ２３０（Ｌ３）、前記第４レンズ２４０（Ｌ４）、前記第５レンズ２５０（Ｌ５）及び前記第６レンズ２６０（Ｌ６）は、全ての面が非球面である。
【０１６５】
また、前記表４に記載の「−」値は、定義されていない値を意味する。
【０１６６】
また、前記Ｓ１は、本発明の実施例において撮像レンズ２００の光量を決定づける面を意味し、前記Ｓ１の備考に記載の「Ｓｔｏｐ」は、光量を調節するために用いられる前記開口絞り２０５（Ｓ１）を意味する。
【０１６７】
ここで、絞り２０５が第１レンズ２１０の物体側の面に配置されているが、本発明の第２実施例による絞り２０５の位置は、これに限定されない。また、本発明の第２実施例による撮像レンズ２００が絞り２０５を必ず含むと限定されるものではない。
【０１６８】
下記の表５は、本発明の第２実施例による非球面レンズの非球面係数値である。
【０１６９】
【表５】
2014059561.tif 000008
【０１７０】
前記表４及び表５に記載されたように、Ｓ１は光量を調節するために用いられる開口絞り２０５（Ｓ１）であって、平面であるため非球面係数値がない。
【０１７１】
また、Ｓ１４及びＳ１５はフィルタ２７０であり、Ｓ１６は受光素子２８０であるイメージセンサであって、平面であるため非球面係数値がない。
【０１７２】
また、本発明の第２実施例による前記撮像レンズ２００の全体焦点距離をＦ、第１レンズ２１０、第２レンズ２２０、第３レンズ２３０、第４レンズ２４０、第５レンズ２５０及び第６レンズ２６０の焦点距離をそれぞれＦ１、Ｆ２、Ｆ３、Ｆ４、Ｆ５及びＦ６としたときに、それぞれの値は、次の表６のとおりである。
【０１７３】
【表６】
2014059561.tif 000009
【０１７４】
本発明の第２実施例による撮像レンズ２００において、第１レンズ２１０の物体側の入射面から像面までの距離をＴＴＬ、撮像レンズ２００の全体焦点距離をＦとしたときに、次の条件式を満たすことができる。
【０１７５】
０．９５＜ＴＴＬ／Ｆ＜１．３５    （１）
【０１７６】
前記条件式（１）は、本発明の第２実施例による撮像レンズ２００のＴＴＬとパワーの関係式であり、前記条件式（１）を満たすことにより、テレフォトタイプが可能な撮像レンズ２００を形成することができる。
【０１７７】
また、本発明の第２実施例によると、第１レンズ２１０の物体側の入射面から像面までの距離をＴＴＬ、撮像レンズ２００の全体焦点距離をＦとしたときに、次の条件式を満たすことができる。
【０１７８】
１．１５＜ＴＴＬ／Ｆ＜１．４５    （２）
【０１７９】
従って、前記条件式（２）を満たすことにより、商品性がより良好であり、光学的性能をより容易に確保できるだけでなく、よりスリムな撮像レンズ２００を形成することができる。
【０１８０】
また、本発明の第２実施例によると、第１レンズ２１０と第２レンズ２２０の合成焦点距離をＦ１２、撮像レンズ２００の全体焦点距離をＦとしたときに、次の条件式を満たすことができる。
【０１８１】
０．５＜Ｆ／Ｆ１２＜２．５    （３）
【０１８２】
前記条件式（３）は、本発明の第２実施例による第１レンズ２１０と前記第２レンズ２２０のパワーの関係式であり、条件式（３）より小さいかまたは大きい値に撮像レンズ２００が設計される場合、軸上性能が劣化して商品性が劣り、光学的性能を確保することが困難となる。
【０１８３】
従って、前記条件式（３）を満たすことにより、軸上性能が向上して商品性が良好であり、光学的性能を容易に確保できる撮像レンズ２００を形成することができる。
【０１８４】
尚、本発明の第２実施例による撮像レンズ２００の第３レンズ２３０と第４レンズ２４０の合成焦点距離をＦ３４、撮像レンズ２００の全体焦点距離をＦとしたときに、次の条件式を満たすことができる。
【０１８５】
−２．５＜Ｆ／Ｆ３４＜−０．４    （４）
【０１８６】
前記条件式（４）は、本発明の第２実施例による第３レンズ２３０と第４レンズ２４０のパワーの関係式であり、条件式（４）より小さいかまたは大きい値に撮像レンズ２００が設計される場合、色収差及び軸外収差が適切に補正できなくて商品性が劣り、光学的性能を確保することが困難となる。
【０１８７】
従って、前記条件式（４）を満たすことにより、商品性が良好であり、光学的性能を容易に確保できる撮像レンズ２００を形成することができる。
【０１８８】
また、本発明の第２実施例による撮像レンズ２００において、第１レンズ２１０の焦点距離をＦ１、撮像レンズ２００の全体焦点距離をＦとしたときに、次の条件式を満たすことができる。
【０１８９】
０＜Ｆ／Ｆ１＜１．５    （５）
【０１９０】
前記条件式（５）は、本発明の第２実施例による第１レンズ２１０のパワーの関係式であり、条件式（５）より小さいかまたは大きい値に撮像レンズ２００が設計される場合、屈折力が減少して敏感度が低下する。
【０１９１】
従って、前記条件式（５）を満たすことにより、屈折力の減少を防止して敏感度が良好な撮像レンズ２００を形成することができる。
【０１９２】
また、本発明の第２実施例による撮像レンズ２００において、第３レンズ２３０の焦点距離をＦ３、撮像レンズ２００の全体焦点距離をＦとしたときに、次の条件式を満たすことができる。
【０１９３】
０．２＜｜Ｆ／Ｆ３｜＜２．５    （６）
【０１９４】
前記条件式（６）は、本発明の第２実施例による第３レンズ２３０のパワーの関係式であり、条件式（６）より小さいかまたは大きい値に撮像レンズ２００が設計される場合、屈折力が分散して敏感度が低下する。
【０１９５】
従って、前記条件式（６）を満たすことにより、屈折力の分散を防止して敏感度が良好な撮像レンズ２００を形成することができる。
【０１９６】
また、本発明の第２実施例による撮像レンズ２００において、第５レンズ２５０の焦点距離をＦ５、第６レンズ２６０の焦点距離をＦ６、撮像レンズ２００の全体焦点距離をＦとしたときに、次の条件式を満たすことができる。
【０１９７】
０．３＜Ｆ／Ｆ５＋Ｆ／Ｆ６＜６．０    （７）
【０１９８】
前記条件式（７）は、本発明の第２実施例による第５レンズ２５０及び第６レンズ２６０のパワーの関係式であり、前記条件式（７）を満たすことにより、テレフォトタイプが可能な撮像レンズ２００を形成することができる。
【０１９９】
また、本発明の第２実施例による撮像レンズ２００において、第１レンズ２１０の物体側の入射面から像面までの距離をＴＴＬ、イメージハイトをＩｍｇＨとしたときに、次の条件式を満たすことができる。
【０２００】
０．３５＜ＴＴＬ／２ＩｍｇＨ＜０．９５    （８）
【０２０１】
前記条件式（８）は、本発明の第２実施例による撮像レンズ２００のＴＴＬとパワーの関係式であり、前記条件式（８）を満たすことにより、スリムな形態に撮像レンズ２００を形成することができる。
【０２０２】
また、本発明の第２実施例による撮像レンズ２００の視野角をＦＯＶ（Ｆｉｅｌｄ  Ｏｆ  Ｖｉｅｗ）としたときに、次の条件式を満たすことができる。
【０２０３】
６５＜ＦＯＶ＜８８    （９）
【０２０４】
前記条件式（９）は、本発明の第２実施例による撮像レンズ２００の視野角に係る関係式であり、前記条件式（９）を満たすことにより、スリムでかつ準広角の形態に撮像レンズ２００を形成することができる。
【０２０５】
また、本発明の第２実施例による撮像レンズ２００において、第１レンズ２１０と第２レンズ２２０のアッベ数の平均をｖ１２、第３レンズ２３０と第４レンズ２４０のアッベ数の平均をｖ３４としたときに、次の条件式を満たすことができる。
【０２０６】
１０＜ｖ１２−ｖ３４＜４５    （１０）
【０２０７】
前記条件式（１０）は、本発明の第２実施例による第１レンズ２１０と第２レンズ２２０及び第３レンズ２３０と第４レンズ２４０の分散に係る関係式であり、前記条件式（１０）を満たすことにより、色収差を効果的に低減させることができる。
【０２０８】
また、本発明の第２実施例による撮像レンズ２００において、第３レンズ２３０の焦点距離をＦ３、第４レンズ２４０の焦点距離をＦ４、撮像レンズ２００の全体焦点距離をＦとしたときに、次の条件式を満たすことができる。
【０２０９】
０＜｜Ｆ／Ｆ３｜＋｜Ｆ／Ｆ４｜＜３    （１１）
【０２１０】
前記条件式（１１）は、本発明の第２実施例による第３レンズ２３０及び第４レンズ２４０の屈折力に係る関係式であり、前記条件式（１１）を満たすことにより、収差を低減させることができる。
【０２１１】
また、本発明の第２実施例による撮像レンズ２００において、第１レンズ２１０の像面側の面の曲率半径をｒ１２、撮像レンズ２００の全体焦点距離をＦとしたときに、次の条件式を満たすことができる。
【０２１２】
０．１５＜ｒ１２／Ｆ＜０．９    （１２）
【０２１３】
前記条件式（１２）は、本発明の第２実施例による第１レンズ２１０の像面側の面の曲率半径に係るパワーの関係式であり、前記条件式（１２）を満たすことにより、光学特性に優れた撮像レンズ２００を形成することができる。
【０２１４】
また、本発明の第２実施例による撮像レンズ２００において、第１レンズ２１０の焦点距離をＦ１、第３レンズ２３０の焦点距離をＦ３としたときに、次の条件式を満たすことができる。
【０２１５】
０＜｜Ｆ１／Ｆ３｜＜２５    （１３）
【０２１６】
前記条件式（１３）は、本発明の第２実施例による第１レンズ２１０及び第３レンズ２３０のパワーの関係式であり、前記条件式（１３）を満たすことにより、光学特性に優れた撮像レンズ２００を形成することができる。
【０２１７】
また、本発明の第２実施例による撮像レンズ２００において、第５レンズ２５０の物体側の面の曲率半径をｒ９、第５レンズ２５０の像面側の面の曲率半径をｒ１０としたときに、次の条件式を満たすことができる。
【０２１８】
０＜｜（ｒ９−ｒ１０）／（ｒ９＋ｒ１０）｜＜６    （１４）
【０２１９】
前記条件式（１４）は、本発明の第２実施例による第５レンズ２５０のパワーの関係式であり、前記条件式（１４）を満たすことにより、正（＋）のパワーを有する第５レンズ２５０を形成することができる。
【０２２０】
また、本発明の第２実施例による撮像レンズ２００において、撮像レンズ２００の全体焦点距離をＦ、第１レンズ２１０の焦点距離をＦ１、第２レンズ２２０の焦点距離をＦ２としたときに、次の条件式を満たすことができる。
【０２２１】
０．２＜｜Ｆ／Ｆ１｜＋｜Ｆ／Ｆ２｜＜４    （１５）
【０２２２】
前記条件式（１５）は、本発明の第２実施例による撮像レンズ２００全体のパワーを決定する関係式であり、前記条件式（１５）を満たすことにより、光学特性に優れた撮像レンズ２００を形成することができる。
【０２２３】
また、本発明の第２実施例による撮像レンズ２００において、第１レンズ２１０の焦点距離をＦ１、第２レンズ２２０の焦点距離をＦ２、第３レンズ２３０の焦点距離をＦ３、第４レンズ２４０の焦点距離をＦ４としたときに、次の条件式を満たすことができる。
【０２２４】
０＜（｜Ｆ１｜＋｜Ｆ２｜）／（｜Ｆ３｜＋｜Ｆ４｜）＜３０    （１６）
【０２２５】
前記条件式（１６）は、本発明の第２実施例による第１レンズ２１０、第２レンズ２２０、第３レンズ２３０及び第４レンズ２４０のパワーの関係式であり、前記条件式（１６）を満たすことにより、光学特性に優れた撮像レンズ２００を形成することができる。
【０２２６】
また、本発明の第２実施例による撮像レンズ２００において、撮像レンズ２００の全体焦点距離をＦ、第４レンズ２４０の焦点距離をＦ４、第５レンズ２５０の焦点距離をＦ５、第６レンズ２６０の焦点距離をＦ６としたときに、次の条件式を満たすことができる。
【０２２７】
０．２０＜｜Ｆ／Ｆ４｜＋｜Ｆ／Ｆ５｜＋｜Ｆ／Ｆ６｜＜７．５    （１７）
【０２２８】
前記条件式（１７）は、本発明の第２実施例による第４レンズ２４０、第５レンズ２５０及び第６レンズ２６０のパワーの関係式であり、前記条件式（１７）を満たすことにより、光学特性に優れた撮像レンズ２００を形成することができる。
【０２２９】
また、本発明の第２実施例による撮像レンズ２００において、撮像レンズ２００の全体焦点距離をＦ、光軸上で第１レンズ２１０の物体側の面と第６レンズ２６０の像面側の面との間の距離をＤＬとしたときに、次の条件式を満たすことができる。
【０２３０】
０．７＜ＤＬ／Ｆ＜１．２    （１８）
【０２３１】
前記条件式（１８）を満たすことにより、コンパクト（ｃｏｍｐａｃｔ）な撮像レンズ２００を形成することができる。
【０２３２】
また、本発明の第２実施例による撮像レンズ２００において、第４レンズ２４０のアッベ数をｖ４、第５レンズ２５０のアッベ数をｖ５としたときに、次の条件式を満たすことができる。
【０２３３】
４２＜ｖ４＋ｖ５＜１１５    （１９）
【０２３４】
前記条件式（１９）は、本発明の第２実施例による第４レンズ２４０と第５レンズ２５０の分散に係る関係式であり、前記条件式（１９）を満たすことにより、光学特性に優れた撮像レンズ２００を形成することができる。
【０２３５】
図５及び図６は、本発明の第２実施例による収差特性を示したグラフである。この際、図５及び図６は、多数の波長を多数の色で表示して収差特性を示す。
【０２３６】
ここで、図５は、本発明の第２実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。また、図６は、本発明の第２実施例によるコマ収差（Ｃｏｍａ  Ａｂｅｒｒａｔｉｏｎ）を測定したグラフである。
【０２３７】
図５に示したように、球面収差を測定したグラフは各波長による球面収差を示す。ここで、各波長が垂直軸に隣接して示されることから、球面収差特性に優れていることが分かる。
【０２３８】
また、非点収差を測定したグラフは、物体側からみたときの像面高さ（ＡＮＧＬＥ、垂直軸）及びフォーカス（ＦＯＣＵＳ、水平軸）位置によるｘ軸光の方向成分（Ｘ）とｙ軸光の方向成分（Ｙ）の収差特性を示す。ここで、Ｘ、Ｙが互いに隣接して示されることから、イメージのぼけがなく、解像力の劣化現象が生じないことが分かる。
【０２３９】
また、歪曲収差を測定したグラフは、物体側からみたときの像面高さ（ＡＮＧＬＥ）による歪曲（Ｄｉｓｔｏｒｔｉｏｎ、水平軸)特性を示す。ここで、歪曲度が主に歪曲（Ｄｉｓｔｏｒｔｉｏｎ、水平軸）の−１〜＋１の間に位置していることから、実際に歪曲が殆どないことが分かる。
【０２４０】
図６に示したように、コマ収差を測定したグラフは、像面の高さによって各波長によるタンジェンシャル（Ｔａｎｇｅｎｔｉａｌ）及びサジタル（Ｓａｇｉｔｔａｌ）の収差特性を示す。この際、各波長が水平軸上に隣接して示されることから、横色収差が小さく現われることが分かる。
【０２４１】
＜第３実施例＞
図７は、本発明の第３実施例による撮像レンズの内部構造を概略的に示した側断面図である。
【０２４２】
図７を参照すると、本発明の第３実施例による撮像レンズ３００は、物体側から順に配置される第１レンズ３１０と、第２レンズ３２０と、第３レンズ３３０と、第４レンズ３４０と、第５レンズ３５０と、第６レンズ３６０と、を含んでなる。
【０２４３】
また、本発明の第３実施例による撮像レンズ３００は、前記第１レンズ３１０から前記第６レンズ３６０のうち何れか一つより物体側または像面側に近く位置される絞り３０５をさらに含むことができる。
【０２４４】
まず、物体（被写体）の映像を獲得するために、物体の映像情報に該当する光は、第１レンズ３１０、絞り３０５、第２レンズ３２０、第３レンズ３３０、第４レンズ３４０、第５レンズ３５０、第６レンズ３６０及びフィルタ３７０を順に通過して、受光素子３８０に入射される。
【０２４５】
ここで、第１レンズ３１０は、正（＋）のパワーを有し、物体側に凸の形態に形成される。
【０２４６】
また、第２レンズ３２０は、正（＋）のパワーを有するように形成される。
【０２４７】
さらに、第３レンズ３３０は、正（＋）のパワーを有するように形成される。
【０２４８】
また、第４レンズ３４０は、負（−）のパワーを有するように形成される。
【０２４９】
ここで、第３レンズ３３０及び第４レンズ３４０のうち少なくとも何れか一つ以上は、Ｖ＜３０の範囲のアッベ数（Ｖ）を有するように形成されて、色収差を顕著に低減することができる。しかし、本発明が必ずしもこれに限定されるものではなく、例えば、第３レンズ３３０及び第４レンズ３４０のうち少なくとも何れか一つ以上は、２０＜Ｖ＜３０の範囲のアッベ数（Ｖ）を有するように形成されて、色収差をさらに顕著に低減することができる。
【０２５０】
また、第５レンズ３５０は、正（＋）のパワーを有し、物体側及び像面側に凸の形態に形成されることができる。この際、第５レンズ３５０は、物体側の面または像面側の面のうち少なくとも一つの面に変曲点を有するように形成される。
【０２５１】
さらに、第６レンズ３６０は、負（−）のパワーを有し、像面側に凹に形成され、像面側の面に変曲点を有するように形成される。
【０２５２】
ここで、第１レンズ３１０、第２レンズ３２０、第３レンズ３３０、第４レンズ３４０、第５レンズ３５０及び第６レンズ３６０は、非球面に形成されることができるが、本発明がこれに限定されるものではない。
【０２５３】
また、絞り３０５は、第１レンズ３１０から第５レンズ３５０のうち何れか一つより物体側または像面側に近く配置されており、入射光を選択的に収斂して焦点距離を調節する。この際、一例として、絞り３０５は第１レンズ３１０より物体側または像面側に近く配置されることができる。また、他の例として、絞り３０５は、第１レンズ３１０の物体側の面と第３レンズ３３０の物体側の面との間に配置されることができる。しかし、本発明の第３実施例による絞り３０５の位置は、一例及び他の例に限定されない。
【０２５４】
また、フィルタ３７０は、赤外線遮断フィルタ（ＩＲ  ｃｕｔ  ｆｉｌｔｅｒ）からなることができるが、本発明の第３実施例によるフィルタ３７０の種類がこれに限定されるものではない。
【０２５５】
この際、赤外線遮断フィルタは、外部光から放出される輻射熱が前記受光素子３８０に伝達されないように遮断する機能をする。
【０２５６】
即ち、赤外線遮断フィルタは、可視光線は透過させ、赤外線は反射させて外部に放出させる構造を有する。
【０２５７】
また、像が結ばれる面を含む受光素子３８０は、被写体映像に対応する光信号を電気的信号に変換するイメージセンサからなることができる。この際、イメージセンサは、例えば、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサであることができるが、本発明の受光素子が必ずしもこれに限定されるものではない。
【０２５８】
本発明の第３実施例による撮像レンズ３００は、次の表７に示す光学特性を有する。
【０２５９】
【表７】
2014059561.tif 000010
【０２６０】
前記表７に図示されたように、本発明の第３実施例による撮像レンズ３００の前記第１レンズ３１０（Ｌ１）、前記第２レンズ３２０（Ｌ２）、前記第３レンズ３３０（Ｌ３）、前記第４レンズ３４０（Ｌ４）、前記第５レンズ３５０（Ｌ５）及び前記第６レンズ３６０（Ｌ６）は、全ての面が非球面である。
【０２６１】
また、前記表７に記載の「−」値は、定義されていない値を意味する。
【０２６２】
また、前記Ｓ１は、本発明の実施例において撮像レンズ３００の光量を決定づける面を意味し、前記Ｓ１の備考に記載の「Ｓｔｏｐ」は、光量を調節するために用いられる前記開口絞り３０５（Ｓ１）を意味する。
【０２６３】
ここで、絞り３０５が第１レンズ３１０の物体側の面に配置されているが、本発明の第３実施例による絞り３０５の位置は、これに限定されない。また、本発明の第３実施例による撮像レンズ３００が絞り３０５を必ず含むと限定されるものではない。
【０２６４】
下記の表８は、本発明の第３実施例による非球面レンズの非球面係数値である。
【０２６５】
【表８】
2014059561.tif 000011
【０２６６】
前記表７及び表８に記載されたように、Ｓ１は光量を調節するために用いられる開口絞り３０５（Ｓ１）であって、平面であるため非球面係数値がない。
【０２６７】
また、Ｓ１４及びＳ１５はフィルタ３７０であり、Ｓ１６は受光素子３８０であるイメージセンサであって、平面であるため非球面係数値がない。
【０２６８】
また、本発明の第３実施例による前記撮像レンズ３００の全体焦点距離をＦ、第１レンズ３１０、第２レンズ３２０、第３レンズ３３０、第４レンズ３４０、第５レンズ３５０及び第６レンズ３６０の焦点距離をそれぞれＦ１、Ｆ２、Ｆ３、Ｆ４、Ｆ５及びＦ６としたときに、それぞれの値は、次の表９のとおりである。
【０２６９】
【表９】
2014059561.tif 000012
【０２７０】
本発明の第３実施例による撮像レンズ３００において、第１レンズ３１０の物体側の入射面から像面までの距離をＴＴＬ、撮像レンズ３００の全体焦点距離をＦとしたときに、次の条件式を満たすことができる。
【０２７１】
０．９５＜ＴＴＬ／Ｆ＜１．３５    （１）
【０２７２】
前記条件式（１）は、本発明の第３実施例による撮像レンズ３００のＴＴＬとパワーの関係式であり、前記条件式（１）を満たすことにより、テレフォトタイプが可能な撮像レンズ３００を形成することができる。
【０２７３】
また、本発明の第３実施例によると、第１レンズ３１０の物体側の入射面から像面までの距離をＴＴＬ、撮像レンズ３００の全体焦点距離をＦとしたときに、次の条件式を満たすことができる。
【０２７４】
１．１５＜ＴＴＬ／Ｆ＜１．４５    （２）
【０２７５】
前記条件式（２）を満たすことにより、商品性がより良好であり、光学的性能をより容易に確保できるだけでなく、よりスリムな撮像レンズ３００を形成することができる。
【０２７６】
また、本発明の第３実施例によると、第１レンズ３１０と第２レンズ３２０の合成焦点距離をＦ１２、撮像レンズ３００の全体焦点距離をＦとしたときに、次の条件式を満たすことができる。
【０２７７】
０．５＜Ｆ／Ｆ１２＜２．５（３）
【０２７８】
前記条件式（３）は、本発明の第３実施例による第１レンズ３１０と第２レンズ３２０のパワーの関係式であり、条件式（３）より小さいかまたは大きい値に撮像レンズ３００が設計される場合、軸上性能が劣化して商品性が劣り、光学的性能を確保することが困難となる。
【０２７９】
従って、前記条件式（３）を満たすことにより、軸上性能が向上して商品性が良好であり、光学的性能を容易に確保できる撮像レンズ３００を形成することができる。
【０２８０】
尚、本発明の第３実施例による撮像レンズ３００の第３レンズ３３０と第４レンズ３４０の合成焦点距離をＦ３４、撮像レンズ３００の全体焦点距離をＦとしたときに、次の条件式を満たすことができる。
【０２８１】
−２．５＜Ｆ／Ｆ３４＜−０．４（４）
【０２８２】
前記条件式（４）は、本発明の第３実施例による第３レンズ３３０と第４レンズ３４０のパワーの関係式であり、条件式（４）より小さいかまたは大きい値に撮像レンズ３００が設計される場合、色収差及び軸外収差が発生して商品性が劣り、光学的性能を確保することが困難となる。
【０２８３】
従って、前記条件式（４）を満たすことにより、色収差及び軸外収差を補正することができて商品性が良好であり、光学的性能を容易に確保できる撮像レンズ３００を形成することができる。
【０２８４】
また、本発明の第３実施例による撮像レンズ３００において、第１レンズ３１０の焦点距離をＦ１、撮像レンズ３００の全体焦点距離をＦとしたときに、次の条件式を満たすことができる。
【０２８５】
０＜Ｆ／Ｆ１＜１．５    （５）
【０２８６】
前記条件式（５）は、本発明の第３実施例による第１レンズ３１０のパワーの関係式であり、条件式（５）より小さいかまたは大きい値に撮像レンズ３００が設計される場合、屈折力が減少して敏感度が低下する。
【０２８７】
従って、前記条件式（５）を満たすことにより、屈折力の減少を防止して敏感度が良好な撮像レンズ３００を形成することができる。
【０２８８】
また、本発明の第３実施例による撮像レンズ３００において、第３レンズ３３０の焦点距離をＦ３、撮像レンズ３００の全体焦点距離をＦとしたときに、次の条件式を満たすことができる。
【０２８９】
０．２＜｜Ｆ／Ｆ３｜＜２．５    （６）
【０２９０】
前記条件式（６）は、本発明の第３実施例による第３レンズ３３０のパワーの関係式であり、条件式（６）より小さいかまたは大きい値に撮像レンズ３００が設計される場合、屈折力が分散して敏感度が低下する。
【０２９１】
従って、前記条件式（６）を満たすことにより、屈折力の分散を防止して敏感度が良好な撮像レンズ３００を形成することができる。
【０２９２】
また、本発明の第３実施例による撮像レンズ３００において、第５レンズ３５０の焦点距離をＦ５、第６レンズ３６０の焦点距離をＦ６、撮像レンズ３００の全体焦点距離をＦとしたときに、次の条件式を満たすことができる。
【０２９３】
０．３＜Ｆ／Ｆ５＋Ｆ／Ｆ６＜６．０    （７）
【０２９４】
前記条件式（７）は、本発明の第３実施例による第５レンズ３５０及び第６レンズ３６０のパワーの関係式であり、前記条件式（７）を満たすことにより、テレフォトタイプが可能な撮像レンズ３００を形成することができる。
【０２９５】
また、本発明の第３実施例による撮像レンズ３００において、第１レンズ３１０の物体側の入射面から像面までの距離をＴＴＬ、イメージハイトをＩｍｇＨとしたときに、次の条件式を満たすことができる。
【０２９６】
０．３５＜ＴＴＬ／２ＩｍｇＨ＜０．９５    （８）
【０２９７】
前記条件式（８）は、本発明の第３実施例による撮像レンズ３００のＴＴＬとパワーの関係式であり、前記条件式（８）を満たすことにより、スリムな形態に撮像レンズ３００を形成することができる。
【０２９８】
また、本発明の第３実施例によると、撮像レンズ３００の視野角をＦＯＶ（Ｆｉｅｌｄ  Ｏｆ  Ｖｉｅｗ）としたときに、次の条件式を満たすことができる。
【０２９９】
６５＜ＦＯＶ＜８８    （９）
【０３００】
前記条件式（９）は、本発明の第３実施例による撮像レンズ３００の視野角に係る関係式であり、前記条件式（９）を満たすことにより、スリムでかつ準広角の形態に撮像レンズ３００を形成することができる。
【０３０１】
また、本発明の第３実施例による撮像レンズ３００において、第１レンズ３１０と第２レンズ３２０のアッベ数の平均をｖ１２、第３レンズ３３０と第４レンズ３４０のアッベ数の平均をｖ３４としたときに、次の条件式を満たすことができる。
【０３０２】
１０＜ｖ１２−ｖ３４＜４５    （１０）
【０３０３】
前記条件式（１０）は、本発明の第３実施例による第１レンズ３１０と第２レンズ３２０及び第３レンズ３３０と第４レンズ３４０の分散に係る関係式であり、前記条件式（１０）を満たすことにより、色収差を効果的に低減させることができる。
【０３０４】
また、本発明の第３実施例による撮像レンズ３００において、第３レンズ３３０の焦点距離をＦ３、第４レンズ３４０の焦点距離をＦ４、撮像レンズ３００の全体焦点距離をＦとしたときに、次の条件式を満たすことができる。
【０３０５】
０＜｜Ｆ／Ｆ３｜＋｜Ｆ／Ｆ４｜＜３    （１１）
【０３０６】
前記条件式（１１）は、本発明の第３実施例による第３レンズ３３０及び第４レンズ３４０の屈折力に係る関係式であり、前記条件式（１１）を満たすことにより、収差を低減させることができる。
【０３０７】
また、本発明の第３実施例による撮像レンズ３００において、第１レンズ３１０の像面側の面の曲率半径をｒ１２、撮像レンズ３００の全体焦点距離をＦとしたときに、次の条件式を満たすことができる。
【０３０８】
０．１５＜ｒ１２／Ｆ＜０．９    （１２）
【０３０９】
前記条件式（１２）は、本発明の第３実施例による第１レンズ３１０の像面側の面の曲率半径に係るパワーの関係式であり、前記条件式（１２）を満たすことにより、光学特性に優れた撮像レンズ３００を形成することができる。
【０３１０】
また、本発明の第３実施例による撮像レンズ３００において、第１レンズ３１０の焦点距離をＦ１、第３レンズ３３０の焦点距離をＦ３としたときに、次の条件式を満たすことができる。
【０３１１】
０＜｜Ｆ１／Ｆ３｜＜２５    （１３）
【０３１２】
前記条件式（１３）は、本発明の第３実施例による第１レンズ３１０及び第３レンズ３３０のパワーの関係式であり、前記条件式（１３）を満たすことにより、光学特性に優れた撮像レンズ３００を形成することができる。
【０３１３】
また、本発明の第３実施例による撮像レンズ３００において、第５レンズ３５０の物体側の面の曲率半径をｒ９、第５レンズ３５０の像面側の面の曲率半径をｒ１０としたときに、次の条件式を満たすことができる。
【０３１４】
０＜｜（ｒ９−ｒ１０）／（ｒ９＋ｒ１０）｜＜６    （１４）
【０３１５】
前記条件式（１４）は、本発明の第３実施例による第５レンズ３５０のパワーの関係式であり、前記条件式（１４）を満たすことにより、正（＋）のパワーを有する第５レンズ３５０を形成することができる。
【０３１６】
また、本発明の第３実施例による撮像レンズ３００において、撮像レンズ３００の全体焦点距離をＦ、第１レンズ３１０の焦点距離をＦ１、第２レンズ３２０の焦点距離をＦ２としたときに、次の条件式を満たすことができる。
【０３１７】
０．２＜｜Ｆ／Ｆ１｜＋｜Ｆ／Ｆ２｜＜４    （１５）
【０３１８】
前記条件式（１５）は、本発明の第３実施例による撮像レンズ３００全体のパワーを決定する関係式であり、前記条件式（１５）を満たすことにより、光学特性に優れた撮像レンズ３００を形成することができる。
【０３１９】
また、本発明の第３実施例による撮像レンズ３００において、第１レンズ３１０の焦点距離をＦ１、第２レンズ３２０の焦点距離をＦ２、第３レンズ３３０の焦点距離をＦ３、第４レンズ３４０の焦点距離をＦ４としたときに、次の条件式を満たすことができる。
【０３２０】
０＜（｜Ｆ１｜＋｜Ｆ２｜）／（｜Ｆ３｜＋｜Ｆ４｜）＜３０    （１６）
【０３２１】
前記条件式（１６）は、本発明の第３実施例による第１レンズ３１０、第２レンズ３２０、第３レンズ３３０及び第４レンズ３４０のパワーの関係式であり、前記条件式（１６）を満たすことにより、光学特性に優れた撮像レンズ３００を形成することができる。
【０３２２】
また、本発明の第３実施例による撮像レンズ３００において、撮像レンズ３００の全体焦点距離をＦ、第４レンズ３４０の焦点距離をＦ４、第５レンズ３５０の焦点距離をＦ５、第６レンズ３６０の焦点距離をＦ６としたときに、次の条件式を満たすことができる。
【０３２３】
０．２０＜｜Ｆ／Ｆ４｜＋｜Ｆ／Ｆ５｜＋｜Ｆ／Ｆ６｜＜７．５    （１７）
【０３２４】
前記条件式（１７）は、本発明の第３実施例による第４レンズ３４０、第５レンズ３５０及び第６レンズ３６０のパワーの関係式であり、前記条件式（１７）を満たすことにより、光学特性に優れた撮像レンズ３００を形成することができる。
【０３２５】
また、本発明の第３実施例による撮像レンズ３００において、撮像レンズ３００の全体焦点距離をＦ、光軸上で第１レンズ３１０の物体側の面と第６レンズ３６０の像面側の面との間の距離をＤＬとしたときに、次の条件式を満たすことができる。
【０３２６】
０．７＜ＤＬ／Ｆ＜１．２    （１８）
【０３２７】
前記条件式（１８）を満たすことにより、コンパクト（ｃｏｍｐａｃｔ）な撮像レンズ３００を形成することができる。
【０３２８】
また、本発明の第３実施例による撮像レンズ３００において、第４レンズ３４０のアッベ数をｖ４、第５レンズ３５０のアッベ数をｖ５としたときに、次の条件式を満たすことができる。
【０３２９】
４２＜ｖ４＋ｖ５＜１１５    （１９）
【０３３０】
前記条件式（１９）は、本発明の第３実施例による第４レンズ３４０と第５レンズ３５０の分散に係る関係式であり、前記条件式（１９）を満たすことにより、光学特性に優れた撮像レンズ３００を形成することができる。
【０３３１】
図８及び図９は、本発明の第３実施例による収差特性を示したグラフである。この際、図８及び図９は、多数の波長を多数の色で表示して収差特性を示す。
【０３３２】
ここで、図８は、本発明の第３実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。また、図９は、本発明の第３実施例によるコマ収差（Ｃｏｍａ  Ａｂｅｒｒａｔｉｏｎ）を測定したグラフである。
【０３３３】
図８に示したように、球面収差を測定したグラフは各波長による球面収差を示す。ここで、各波長が垂直軸に隣接して示されることから、球面収差特性に優れていることが分かる。
【０３３４】
尚、非点収差を測定したグラフは、物体側からみたときの像面高さ（ＡＮＧＬＥ、垂直軸）及びフォーカス（ＦＯＣＵＳ、水平軸）位置によるｘ軸光の方向成分（Ｘ）とｙ軸光の方向成分（Ｙ）の収差特性を示す。ここで、Ｘ、Ｙが互いに隣接して示されることから、イメージのぼけがなく、解像力の劣化現象が生じないことが分かる。
【０３３５】
また、歪曲収差を測定したグラフは、物体側からみたときの像面高さ（ＡＮＧＬＥ）による歪曲（Ｄｉｓｔｏｒｔｉｏｎ、水平軸)特性を示す。ここで、歪曲度が主に歪曲（Ｄｉｓｔｏｒｔｉｏｎ、水平軸）の−１〜＋１の間に位置していることから、実際に歪曲が殆どないことが分かる。
【０３３６】
図９に示したように、コマ収差を測定したグラフは、像面の高さによって各波長によるタンジェンシャル（Ｔａｎｇｅｎｔｉａｌ）及びサジタル（Ｓａｇｉｔｔａｌ）の収差特性を示す。この際、各波長が水平軸上に隣接して示されることから、横色収差が小さく現われることが分かる。
【０３３７】
＜第４実施例＞
図１０は、本発明の第４実施例による撮像レンズの内部構造を概略的に示した側断面図である。
【０３３８】
図１２を参照すると、本発明の第４実施例による撮像レンズ４００は、物体側から順に配置される第１レンズ４１０と、第２レンズ４２０と、第３レンズ４３０と、第４レンズ４４０と、第５レンズ４５０と、第６レンズ４６０と、を含んでなる。
【０３３９】
また、本発明の第４実施例による撮像レンズ４００は、前記第１レンズ４１０から前記第６レンズ４６０のうち何れか一つより物体側または像面側に近く位置される絞り４０５をさらに含むことができる。
【０３４０】
まず、物体（被写体）の映像を獲得するために、物体の映像情報に該当する光は、第１レンズ４１０、絞り４０５、第２レンズ４２０、第３レンズ４３０、第４レンズ４４０、第５レンズ４５０、第６レンズ４６０、及びフィルタ４７０を順に通過し、受光素子４８０に入射される。
【０３４１】
ここで、第１レンズ４１０は、正（＋）のパワーを有し、物体側に凸の形態に形成される。
【０３４２】
また、第２レンズ４２０は、正（＋）のパワーを有するように形成される。
【０３４３】
さらに、第３レンズ４３０及び第４レンズ４４０は、正（＋）または負（−）のパワーを有するように形成されることができる。
【０３４４】
ここで、第３レンズ４３０及び第４レンズ４４０のうち少なくとも何れか一つ以上は、Ｖ＜３０の範囲のアッベ数（Ｖ）を有するように形成されて、色収差を顕著に低減することができる。しかし、本発明が必ずしもこれに限定されるものではなく、例えば、第３レンズ４３０及び第４レンズ４４０のうち少なくとも何れか一つ以上は、２０＜Ｖ＜３０の範囲のアッベ数（Ｖ）を有するように形成されて、色収差をさらに顕著に低減することができる。
【０３４５】
また、第５レンズ４５０は、正（＋）のパワーを有し、物体側に凹に、像面側に凸の形態に形成されることができる。この際、第５レンズ４５０は、物体側の面または像面側の面のうち少なくとも一つの面に変曲点を有するように形成される。
【０３４６】
さらに、第６レンズ４６０は、負（−）のパワーを有し、像面側に凹に形成され、像面側の面に変曲点を有するように形成される。
【０３４７】
ここで、第１レンズ４１０、第２レンズ４２０、第３レンズ４３０、第４レンズ４４０、第５レンズ４５０及び第６レンズ４６０は、非球面に形成されることができるが、本発明がこれに限定されるものではない。
【０３４８】
また、絞り４０５は、第１レンズ４１０から第５レンズ４５０のうち何れか一つより物体側または像面側に近く配置されており、入射光を選択的に収斂して焦点距離を調節する。この際、一例として、絞り４０５は、第１レンズ４１０より物体側または像面側に近く配置されることができる。また、他の例として、絞り４０５は、第１レンズ４１０の物体側の面と第３レンズ４３０の物体側の面との間に配置されることができる。しかし、本発明の第４実施例による絞り４０５の位置は、一例及び他の例に限定されない。
【０３４９】
また、フィルタ４７０は、赤外線遮断フィルタ（ＩＲ  ｃｕｔ  ｆｉｌｔｅｒ）からなることができるが、本発明の第４実施例によるフィルタ４７０の種類がこれに限定されるものではない。
【０３５０】
この際、赤外線遮断フィルタは、外部光から放出される輻射熱が前記受光素子４８０に伝達されないように遮断する機能をする。
【０３５１】
即ち、赤外線遮断フィルタは、可視光線は透過させ、赤外線は反射させて外部に放出させる構造を有する。
【０３５２】
また、像が結ばれる面を含む受光素子４８０は、被写体映像に対応する光信号を電気的信号に変換するイメージセンサからなることができる。この際、イメージセンサは、例えば、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサであることができるが、本発明の受光素子が必ずしもこれに限定されるものではない。
【０３５３】
本発明の第４実施例による撮像レンズ４００は、次の表１０に示す光学特性を有する。
【０３５４】
【表１０】
2014059561.tif 000013
【０３５５】
前記表１０に図示されたように、第４実施例による撮像レンズ４００の前記第１レンズ４１０（Ｌ１）、前記第２レンズ４２０（Ｌ２）、前記第３レンズ４３０（Ｌ３）、前記第４レンズ４４０（Ｌ４）、前記第５レンズ４５０（Ｌ５）及び前記第６レンズ４６０（Ｌ６）は、全ての面が非球面である。
【０３５６】
また、前記表１０に記載の「−」値は、定義されていない値を意味する。
【０３５７】
また、前記Ｓ１は、本発明の実施例において撮像レンズ４００の光量を決定づける面を意味し、前記Ｓ１の備考に記載の「Ｓｔｏｐ」は、光量を調節するために用いられる前記開口絞り４０５（Ｓ１）を意味する。
【０３５８】
ここで、絞り４０５が第１レンズ４１０の物体側の面に配置されているが、本発明の第４実施例による絞り４０５の位置は、これに限定されない。また、本発明の第４実施例による撮像レンズ４００が絞り４０５を必ず含むと限定されるものではない。
【０３５９】
下記の表１１は、本発明の第４実施例による非球面レンズの非球面係数値である。
【０３６０】
【表１１】
2014059561.tif 000014
【０３６１】
前記表１０及び表１１に記載されたように、Ｓ１は、光量を調節するために用いられる開口絞り４０５（Ｓ１）であって、平面であるため非球面係数値がない。
【０３６２】
また、Ｓ１４及びＳ１５はフィルタ４７０であり、Ｓ１６は受光素子４８０であるイメージセンサであって、平面であるため非球面係数値がない。
【０３６３】
また、本発明の第４実施例による前記撮像レンズ４００の全体焦点距離をＦ、第１レンズ４１０、第２レンズ４２０、第３レンズ４３０、第４レンズ４４０、第５レンズ４５０及び第６レンズ４６０の焦点距離をそれぞれＦ１、Ｆ２、Ｆ３、Ｆ４、Ｆ５及びＦ６としたときに、それぞれの値は、次の表１２のとおりである。
【０３６４】
【表１２】
2014059561.tif 000015
【０３６５】
本発明の第４実施例による撮像レンズ４００において、第１レンズ４１０の物体側の入射面から像面までの距離をＴＴＬ、撮像レンズ４００の全体焦点距離をＦとしたときに、次の条件式を満たすことができる。
【０３６６】
０．９５＜ＴＴＬ／Ｆ＜１．３５    （１）
【０３６７】
前記条件式（１）は、本発明の第４実施例による撮像レンズ４００のＴＴＬとパワーの関係式であり、前記条件式（１）を満たすことにより、テレフォトタイプが可能な撮像レンズ４００を形成することができる。
【０３６８】
また、本発明の第４実施例によると、第１レンズ４１０の物体側の入射面から像面までの距離をＴＴＬ、撮像レンズ４００の全体焦点距離をＦとしたときに、次の条件式を満たすことができる。
【０３６９】
１．１５＜ＴＴＬ／Ｆ＜１．４５    （２）
【０３７０】
前記条件式（２）を満たすことにより、商品性がより良好であり、光学的性能をより容易に確保できるだけでなく、よりスリムな撮像レンズ４００を形成することができる。
【０３７１】
また、本発明の第４実施例によると、第１レンズ４１０と第２レンズ４２０の合成焦点距離をＦ１２、撮像レンズ４００の全体焦点距離をＦとしたときに、次の条件式を満たすことができる。
【０３７２】
０．５＜Ｆ／Ｆ１２＜２．５    （３）
【０３７３】
前記条件式（３）は、本発明の第４実施例による第１レンズ４１０と前記第２レンズ４２０のパワーの関係式であり、条件式（３）より小さいかまたは大きい値に撮像レンズ４００が設計される場合、軸上性能が劣化して商品性が劣り、光学的性能を確保することが困難となる。
【０３７４】
従って、前記条件式（３）を満たすことにより、軸上性能が向上して商品性が良好であり、光学的性能を容易に確保できる撮像レンズ４００を形成することができる。
【０３７５】
尚、本発明の第４実施例による撮像レンズ４００の第３レンズ４３０と第４レンズ４４０の合成焦点距離をＦ３４、撮像レンズ４００の全体焦点距離をＦとしたときに、次の条件式を満たすことができる。
【０３７６】
−２．５＜Ｆ／Ｆ３４＜−０．４    （４）
【０３７７】
前記条件式（４）は、本発明の第４実施例による第３レンズ４３０と第４レンズ４４０のパワーの関係式であり、条件式（４）より小さいかまたは大きい値に撮像レンズ４００が設計される場合、色収差及び軸外収差の補正が適切になされず商品性が劣り、光学的性能を確保することが困難となる。
【０３７８】
従って、前記条件式（４）を満たすことにより、商品性が良好であり、光学的性能を容易に確保できる撮像レンズ４００を形成することができる。
【０３７９】
また、本発明の第４実施例による撮像レンズ４００において、第１レンズ４１０の焦点距離をＦ１、撮像レンズ４００の全体焦点距離をＦとしたときに、次の条件式を満たすことができる。
【０３８０】
０＜Ｆ／Ｆ１＜１．５    （５）
【０３８１】
前記条件式（５）は、本発明の第４実施例による第１レンズ４１０のパワーの関係式であり、条件式（５）より小さいかまたは大きい値に撮像レンズ４００が設計される場合、屈折力が減少して敏感度が低下する。
【０３８２】
従って、前記条件式（５）を満たすことにより、屈折力の減少を防止して敏感度が良好な撮像レンズ４００を形成することができる。
【０３８３】
また、本発明の第４実施例による撮像レンズ４００において、第３レンズ４３０の焦点距離をＦ３、撮像レンズ４００の全体焦点距離をＦとしたときに、次の条件式を満たすことができる。
【０３８４】
０．２＜｜Ｆ／Ｆ３｜＜２．５    （６）
【０３８５】
前記条件式（６）は、本発明の第４実施例による第３レンズ４３０のパワーの関係式であり、条件式（６）より小さいかまたは大きい値に撮像レンズ４００が設計される場合、屈折力が分散して敏感度が低下する。
【０３８６】
従って、前記条件式（６）を満たすことにより、屈折力の分散を防止して敏感度が良好な撮像レンズ４００を形成することができる。
【０３８７】
また、本発明の第４実施例による撮像レンズ４００において、第５レンズ４５０の焦点距離をＦ５、第６レンズ４６０の焦点距離をＦ６、撮像レンズ４００の全体焦点距離をＦとしたときに、次の条件式を満たすことができる。
【０３８８】
０．３＜Ｆ／Ｆ５＋Ｆ／Ｆ６＜６．０    （７）
【０３８９】
前記条件式（７）は、本発明の第４実施例による第５レンズ４５０及び第６レンズ４６０のパワーの関係式であり、前記条件式（７）を満たすことにより、テレフォトタイプが可能な撮像レンズ４００を形成することができる。
【０３９０】
また、本発明の第４実施例による撮像レンズ４００において、第１レンズ４１０の物体側の入射面から像面までの距離をＴＴＬ、イメージハイトをＩｍｇＨとしたときに、次の条件式を満たすことができる。
【０３９１】
０．３５＜ＴＴＬ／２ＩｍｇＨ＜０．９５    （８）
【０３９２】
前記条件式（８）は、本発明の第４実施例による撮像レンズ４００のＴＴＬとパワーの関係式であり、前記条件式（８）を満たすことにより、スリムな形態に撮像レンズ４００を形成することができる。
【０３９３】
また、本発明の第４実施例によると、撮像レンズ４００の視野角をＦＯＶ（Ｆｉｅｌｄ  Ｏｆ  Ｖｉｅｗ）としたときに、次の条件式を満たすことができる。
【０３９４】
６５＜ＦＯＶ＜８８    （９）
【０３９５】
前記条件式（９）は、本発明の第４実施例による撮像レンズ４００の視野角に係る関係式であり、前記条件式（９）を満たすことにより、スリムでかつ準広角の形態に撮像レンズ４００を形成することができる。
【０３９６】
また、本発明の第４実施例による撮像レンズ４００において、第１レンズ４１０と第２レンズ４２０のアッベ数の平均をｖ１２、第３レンズ４３０と第４レンズ４４０のアッベ数の平均をｖ３４としたときに、次の条件式を満たすことができる。
【０３９７】
１０＜ｖ１２−ｖ３４＜４５    （１０）
【０３９８】
前記条件式（１０）は、本発明の第４実施例による第１レンズ４１０と第２レンズ４２０及び第３レンズ４３０と第４レンズ４４０の分散に係る関係式であり、前記条件式（１０）を満たすことにより、色収差を効果的に低減させることができる。
【０３９９】
また、本発明の第４実施例による撮像レンズ４００において、第３レンズ４３０の焦点距離をＦ３、第４レンズ４４０の焦点距離をＦ４、撮像レンズ４００の全体焦点距離をＦとしたときに、次の条件式を満たすことができる。
【０４００】
０＜｜Ｆ／Ｆ３｜＋｜Ｆ／Ｆ４｜＜３    （１１）
【０４０１】
前記条件式（１１）は、本発明の第４実施例による第３レンズ４３０及び第４レンズ４４０の屈折力に係る関係式であり、前記条件式（１１）を満たすことにより、収差を低減させることができる。
【０４０２】
また、本発明の第４実施例による撮像レンズ４００において、第１レンズ４１０の像面側の面の曲率半径をｒ１２、撮像レンズ４００の全体焦点距離をＦとしたときに、次の条件式を満たすことができる。
【０４０３】
０．１５＜ｒ１２／Ｆ＜０．９    （１２）
【０４０４】
前記条件式（１２）は、本発明の第４実施例による第１レンズ４１０の像面側の面の曲率半径に係るパワーの関係式であり、前記条件式（１２）を満たすことにより、光学特性に優れた撮像レンズ４００を形成することができる。
【０４０５】
また、本発明の第４実施例による撮像レンズ４００において、第１レンズ４１０の焦点距離をＦ１、第３レンズ４３０の焦点距離をＦ３としたときに、次の条件式を満たすことができる。
【０４０６】
０＜｜Ｆ１／Ｆ３｜＜２５    （１３）
【０４０７】
前記条件式（１３）は、本発明の第４実施例による第１レンズ４１０及び第３レンズ４３０のパワーの関係式であり、前記条件式（１３）を満たすことにより、光学特性に優れた撮像レンズ４００を形成することができる。
【０４０８】
また、本発明の第４実施例による撮像レンズ４００において、第５レンズ４５０の物体側の面の曲率半径をｒ９、第５レンズ４５０の像面側の面の曲率半径をｒ１０としたときに、次の条件式を満たすことができる。
【０４０９】
０＜｜（ｒ９−ｒ１０）／（ｒ９＋ｒ１０）｜＜６    （１４）
【０４１０】
前記条件式（１４）は、本発明の第４実施例による第５レンズ４５０のパワーの関係式であり、前記条件式（１４）を満たすことにより、正（＋）のパワーを有する第５レンズ４５０を形成することができる。
【０４１１】
また、本発明の第４実施例による撮像レンズ４００において、撮像レンズ４００の全体焦点距離をＦ、第１レンズ４１０の焦点距離をＦ１、第２レンズ４２０の焦点距離をＦ２としたときに、次の条件式を満たすことができる。
【０４１２】
０．２＜｜Ｆ／Ｆ１｜＋｜Ｆ／Ｆ２｜＜４    （１５）
【０４１３】
前記条件式（１５）は、本発明の第４実施例による撮像レンズ４００全体のパワーを決定する関係式であり、前記条件式（１５）を満たすことにより、光学特性に優れた撮像レンズ４００を形成することができる。
【０４１４】
また、本発明の第４実施例による撮像レンズ４００において、第１レンズ４１０の焦点距離をＦ１、第２レンズ４２０の焦点距離をＦ２、第３レンズ４３０の焦点距離をＦ３、第４レンズ４４０の焦点距離をＦ４としたときに、次の条件式を満たすことができる。
【０４１５】
０＜（｜Ｆ１｜＋｜Ｆ２｜）／（｜Ｆ３｜＋｜Ｆ４｜）＜３０    （１６）
【０４１６】
前記条件式（１６）は、本発明の第４実施例による第１レンズ４１０、第２レンズ４２０、第３レンズ４３０及び第４レンズ４４０のパワーの関係式であり、前記条件式（１６）を満たすことにより、光学特性に優れた撮像レンズ４００を形成することができる。
【０４１７】
また、本発明の第４実施例による撮像レンズ４００において、撮像レンズ４００の全体焦点距離をＦ、第４レンズ４４０の焦点距離をＦ４、第５レンズ４５０の焦点距離をＦ５、第６レンズ４６０の焦点距離をＦ６としたときに、次の条件式を満たすことができる。
【０４１８】
０．２０＜｜Ｆ／Ｆ４｜＋｜Ｆ／Ｆ５｜＋｜Ｆ／Ｆ６｜＜７．５    （１７）
【０４１９】
前記条件式（１７）は、本発明の第４実施例による第４レンズ４４０、第５レンズ４５０及び第６レンズ４６０のパワーの関係式であり、前記条件式（１７）を満たすことにより、光学特性に優れた撮像レンズ４００を形成することができる。
【０４２０】
また、本発明の第４実施例による撮像レンズ４００において、撮像レンズ４００の全体焦点距離をＦ、光軸上で第１レンズ４１０の物体側の面と第６レンズ４６０の像面側の面との間の距離をＤＬとしたときに、次の条件式を満たすことができる。
【０４２１】
０．７＜ＤＬ／Ｆ＜１．２    （１８）
【０４２２】
前記条件式（１８）を満たすことにより、コンパクト（ｃｏｍｐａｃｔ）な撮像レンズ４００を形成することができる。
【０４２３】
また、本発明の第４実施例による撮像レンズ４００において、第４レンズ４４０のアッベ数をｖ４、第５レンズ４５０のアッベ数をｖ５としたときに、次の条件式を満たすことができる。
【０４２４】
４２＜ｖ４＋ｖ５＜１１５    （１９）
前記条件式（１９）は、本発明の第４実施例による第４レンズ４４０と第５レンズ４５０の分散に係る関係式であり、前記条件式（１９）を満たすことにより、光学特性に優れた撮像レンズ４００を形成することができる。
【０４２５】
図１１及び図１２は、本発明の第４実施例による収差特性を示したグラフである。この際、図１１及び図１２は、多数の波長を多数の色で表示して収差特性を示す。
【０４２６】
ここで、図１１は、本発明の第４実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。また、図１２は、本発明の第４実施例によるコマ収差（Ｃｏｍａ  Ａｂｅｒｒａｔｉｏｎ）を測定したグラフである。
【０４２７】
図１１に示したように、球面収差を測定したグラフは各波長による球面収差を示す。ここで、各波長が垂直軸に隣接して示されることから、球面収差特性に優れていることが分かる。
【０４２８】
尚、非点収差を測定したグラフは、物体側からみたときの像面高さ（ＡＮＧＬＥ、垂直軸）及びフォーカス（ＦＯＣＵＳ、水平軸）位置によるｘ軸光の方向成分（Ｘ）とｙ軸光の方向成分（Ｙ）の収差特性を示す。ここで、Ｘ、Ｙが互いに隣接して示されることから、イメージのぼけがなく、解像力の劣化現象が生じないことが分かる。
【０４２９】
また、歪曲収差を測定したグラフは、物体側からみたときの像面高さ（ＡＮＧＬＥ）による歪曲（Ｄｉｓｔｏｒｔｉｏｎ、水平軸)特性を示す。ここで、歪曲度が主に歪曲（Ｄｉｓｔｏｒｔｉｏｎ、水平軸）の−１〜＋１の間に位置していることから、実際に歪曲が殆どないことが分かる。
【０４３０】
図１２に示したように、コマ収差を測定したグラフは、像面の高さによって各波長によるタンジェンシャル（Ｔａｎｇｅｎｔｉａｌ）及びサジタル（Ｓａｇｉｔｔａｌ）の収差特性を示す。この際、各波長が水平軸上に隣接して示されることから、横色収差が小さく現われることが分かる。
【０４３１】
＜第５実施例＞
図１３は、本発明の第５実施例による撮像レンズの内部構造を概略的に示した側断面図である。
【０４３２】
図１３を参照すると、本発明の第５実施例による撮像レンズ５００は、物体側から順に配置される第１レンズ５１０と、第２レンズ５２０と、第３レンズ５３０と、第４レンズ５４０と、第５レンズ５５０と、第６レンズ５６０と、を含んでなる。
【０４３３】
また、本発明の第５実施例による撮像レンズ５００は、前記第１レンズ５１０から前記第６レンズ５６０のうち何れか一つより物体側または像面側に近く位置される絞り５０５をさらに含むことができる。
【０４３４】
まず、物体（被写体）の映像を獲得するために、物体の映像情報に該当する光は、第１レンズ５１０、絞り５０５、第２レンズ５２０、第３レンズ５３０、第４レンズ５４０、第５レンズ５５０、第６レンズ５６０、及びフィルタ５７０を順に通過し、受光素子５８０に入射される。
【０４３５】
ここで、第１レンズ５１０は正（＋）のパワーを有し、物体側に凸の形態に形成される。
【０４３６】
また、第２レンズ５２０は正（＋）のパワーを有するように形成される。
【０４３７】
さらに、第３レンズ５３０及び第４レンズ５４０は、正（＋）または負（−）のパワーを有するように形成されることができる。
【０４３８】
ここで、第３レンズ５３０及び第４レンズ５４０のうち少なくとも何れか一つ以上は、Ｖ＜３０の範囲のアッベ数（Ｖ）を有するように形成されて、色収差を顕著に低減することができる。しかし、本発明が必ずしもこれに限定されるものではなく、例えば、第３レンズ５３０及び第４レンズ５４０のうち少なくとも何れか一つ以上は、２０＜Ｖ＜３０の範囲のアッベ数（Ｖ）を有するように形成されて、色収差をさらに顕著に低減することができる。
【０４３９】
また、第５レンズ５５０は、負（−）のパワーを有し、物体側に凹の形態に形成されることができる。この際、第５レンズ５５０は、物体側の面または像面側の面のうち少なくとも一つの面に変曲点を有するように形成されることができる。
【０４４０】
さらに、第６レンズ５６０は、負（−）のパワーを有し、像面側に凹に形成され、像面側の面に変曲点を有するように形成される。
【０４４１】
ここで、第１レンズ５１０、第２レンズ５２０、第３レンズ５３０、第４レンズ５４０、第５レンズ５５０及び第６レンズ５６０は非球面に形成されることができるが、本発明がこれに限定されるものではない。
【０４４２】
また、絞り５０５は、第１レンズ５１０から第５レンズ５５０のうち何れか一つより物体側または像面側に近く配置されており、入射光を選択的に収斂して焦点距離を調節する。この際、一例として、絞り５０５は第１レンズ５１０より物体側または像面側に近く配置されることができる。また、他の例として、絞り５０５は第１レンズ５１０の物体側の面と第３レンズ５３０の物体側の面との間に配置されることができる。しかし、本発明の第５実施例による絞り５０５の位置は一例及び他の例に限定されない。
【０４４３】
また、フィルタ５７０は赤外線遮断フィルタ（ＩＲ  ｃｕｔ  ｆｉｌｔｅｒ）からなることができるが、本発明の第５実施例によるフィルタ５７０の種類がこれに限定されるものではない。
【０４４４】
この際、赤外線遮断フィルタは、外部光から放出される輻射熱が前記受光素子５８０に伝達されないように遮断する機能をする。
【０４４５】
即ち、赤外線遮断フィルタは、可視光線は透過させ、赤外線は反射させて外部に放出させる構造を有する。
【０４４６】
また、像が結ばれる面を含む受光素子５８０は、被写体映像に対応する光信号を電気的信号に変換するイメージセンサからなることができる。この際、イメージセンサは、例えば、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサであることができるが、本発明の受光素子が必ずしもこれに限定されるものではない。
【０４４７】
本発明の第５実施例による撮像レンズ５００は、次の表１３に示す光学特性を有する。
【０４４８】
【表１３】
2014059561.tif 000016
【０４４９】
前記表１３に図示されたように、第５実施例による撮像レンズ５００の前記第１レンズ５１０（Ｌ１）、前記第２レンズ５２０（Ｌ２）、前記第３レンズ５３０（Ｌ３）、前記第４レンズ５４０（Ｌ４）、前記第５レンズ５５０（Ｌ５）及び前記第６レンズ５６０（Ｌ６）は、全ての面が非球面である。
【０４５０】
また、前記表１３に記載の「−」値は、定義されていない値を意味する。
【０４５１】
また、前記Ｓ１は、本発明の実施例において撮像レンズ５００の光量を決定づける面を意味し、前記Ｓ１の備考に記載の「Ｓｔｏｐ」は、光量を調節するために用いられる前記開口絞り５０５（Ｓ１）を意味する。
【０４５２】
ここで、絞り５０５が第１レンズ５１０の物体側の面に配置されているが、本発明の第５実施例による絞り５０５の位置はこれに限定されない。また、本発明の第５実施例による撮像レンズ５００が絞り５０５を必ず含むと限定されるものではない。
【０４５３】
下記の表１４は、本発明の第５実施例による非球面レンズの非球面係数値である。
【０４５４】
【表１４】
2014059561.tif 000017
【０４５５】
前記表１３及び表１４に記載されたように、Ｓ１は光量を調節するために用いられる開口絞り５０５（Ｓ１）であって、平面であるため非球面係数値がない。
【０４５６】
また、Ｓ１４及びＳ１５はフィルタ５７０であり、Ｓ１６は受光素子５８０であるイメージセンサであって、平面であるため非球面係数値がない。
【０４５７】
また、本発明の第５実施例による前記撮像レンズ５００の全体焦点距離をＦ、第１レンズ５１０、第２レンズ５２０、第３レンズ５３０、第４レンズ５４０、第５レンズ５５０及び第６レンズ５６０の焦点距離をそれぞれＦ１、Ｆ２、Ｆ３、Ｆ４、Ｆ５及びＦ６としたときに、それぞれの値は、次の表１５のとおりである。
【０４５８】
【表１５】
2014059561.tif 000018
【０４５９】
本発明の第５実施例による撮像レンズ５００において、第１レンズ５１０の物体側の入射面から像面までの距離をＴＴＬ、撮像レンズ５００の全体焦点距離をＦとしたときに、次の条件式を満たすことができる。
【０４６０】
０．９５＜ＴＴＬ／Ｆ＜１．３５    （１）
【０４６１】
前記条件式（１）は、本発明の第５実施例による撮像レンズ５００のＴＴＬとパワーの関係式であり、前記条件式（１）を満たすことにより、テレフォトタイプが可能な撮像レンズ５００を形成することができる。
【０４６２】
また、本発明の第５実施例によると、第１レンズ５１０の物体側の入射面から像面までの距離をＴＴＬ、撮像レンズ５００の全体焦点距離をＦとしたときに、次の条件式を満たすことができる。
【０４６３】
１．１５＜ＴＴＬ／Ｆ＜１．４５    （２）
【０４６４】
前記条件式（２）を満たすことにより、商品性がより良好であり、光学的性能をより容易に確保できるだけでなく、よりスリムな撮像レンズ５００を形成することができる。
【０４６５】
また、本発明の第５実施例によると、第１レンズ５１０と第２レンズ５２０の合成焦点距離をＦ１２、撮像レンズ５００の全体焦点距離をＦとしたときに、次の条件式を満たすことができる。
【０４６６】
０．５＜Ｆ／Ｆ１２＜２．５    （３）
【０４６７】
前記条件式（３）は、本発明の第５実施例による第１レンズ５１０と前記第２レンズ５２０のパワーの関係式であり、条件式（３）より小さいかまたは大きい値に撮像レンズ５００が設計される場合、軸上性能が劣化して商品性が劣り、光学的性能を確保することが困難となる。
【０４６８】
従って、前記条件式（３）を満たすことにより、軸上性能が向上して商品性が良好であり、光学的性能を容易に確保できる撮像レンズ５００を形成することができる。
【０４６９】
尚、本発明の第５実施例による撮像レンズ５００の第３レンズ５３０と第４レンズ５４０の合成焦点距離をＦ３４、撮像レンズ５００の全体焦点距離をＦとしたときに、次の条件式を満たすことができる。
【０４７０】
−２．５＜Ｆ／Ｆ３４＜−０．４    （４）
【０４７１】
前記条件式（４）は、本発明の第５実施例による第３レンズ５３０と第４レンズ５４０のパワーの関係式であり、条件式（４）より小さいかまたは大きい値に撮像レンズ５００が設計される場合、色収差及び軸外収差の補正が適切になされず商品性が劣り、光学的性能を確保することが困難となる。
【０４７２】
従って、前記条件式（４）を満たすことにより、商品性が良好であり、光学的性能を容易に確保できる撮像レンズ５００を形成することができる。
【０４７３】
また、本発明の第５実施例による撮像レンズ５００において、第１レンズ５１０の焦点距離をＦ１、撮像レンズ５００の全体焦点距離をＦとしたときに、次の条件式を満たすことができる。
【０４７４】
０＜Ｆ／Ｆ１＜１．５    （５）
【０４７５】
前記条件式（５）は、本発明の第５実施例による第１レンズ５１０のパワーの関係式であり、条件式（５）より小さいかまたは大きい値に撮像レンズ５００が設計される場合、屈折力が減少して敏感度が低下する。
【０４７６】
従って、前記条件式（５）を満たすことにより、屈折力の減少を防止して敏感度が良好な撮像レンズ５００を形成することができる。
【０４７７】
また、本発明の第５実施例による撮像レンズ５００において、第３レンズ５３０の焦点距離をＦ３、撮像レンズ５００の全体焦点距離をＦとしたときに、次の条件式を満たすことができる。
【０４７８】
０．２＜｜Ｆ／Ｆ３｜＜２．５    （６）
【０４７９】
前記条件式（６）は、本発明の第５実施例による第３レンズ５３０のパワーの関係式であり、条件式（６）より小さいかまたは大きい値に撮像レンズ５００が設計される場合、屈折力が分散して敏感度が低下する。
【０４８０】
従って、前記条件式（６）を満たすことにより、屈折力の分散を防止して敏感度が良好な撮像レンズ５００を形成することができる。
【０４８１】
また、本発明の第５実施例による撮像レンズ５００において、第５レンズ５５０の焦点距離をＦ５、第６レンズ５６０の焦点距離をＦ６、撮像レンズ５００の全体焦点距離をＦとしたときに、次の条件式を満たすことができる。
【０４８２】
０．３＜Ｆ／Ｆ５＋Ｆ／Ｆ６＜６．０    （７）
【０４８３】
前記条件式（７）は、本発明の第５実施例による第５レンズ５５０及び第６レンズ５６０のパワーの関係式であり、前記条件式（７）を満たすことにより、テレフォトタイプが可能な撮像レンズ５００を形成することができる。
【０４８４】
また、本発明の第５実施例による撮像レンズ５００において、第１レンズ５１０の物体側の入射面から像面までの距離をＴＴＬ、イメージハイトをＩｍｇＨとしたときに、次の条件式を満たすことができる。
【０４８５】
０．３５＜ＴＴＬ／２ＩｍｇＨ＜０．９５    （８）
【０４８６】
前記条件式（８）は、本発明の第５実施例による撮像レンズ５００のＴＴＬとパワーの関係式であり、前記条件式（８）を満たすことにより、スリムな形態に撮像レンズ５００を形成することができる。
【０４８７】
また、本発明の第５実施例によると、撮像レンズ５００の視野角をＦＯＶ（Ｆｉｅｌｄ  Ｏｆ  Ｖｉｅｗ）としたときに、次の条件式を満たすことができる。
【０４８８】
６５＜ＦＯＶ＜８８    （９）
【０４８９】
前記条件式（９）は、本発明の第５実施例による撮像レンズ５００の視野角に係る関係式であり、前記条件式（９）を満たすことにより、スリムでかつ準広角の形態に撮像レンズ５００を形成することができる。
【０４９０】
また、本発明の第５実施例による撮像レンズ５００において、第１レンズ５１０と第２レンズ５２０のアッベ数の平均をｖ１２、第３レンズ５３０と第４レンズ５４０のアッベ数の平均をｖ３４としたときに、次の条件式を満たすことができる。
【０４９１】
１０＜ｖ１２−ｖ３４＜４５    （１０）
【０４９２】
前記条件式（１０）は、本発明の第５実施例による第１レンズ５１０と第２レンズ５２０及び第３レンズ５３０と第４レンズ５４０の分散に係る関係式であり、前記条件式（１０）を満たすことにより、色収差を効果的に低減させることができる。
【０４９３】
また、本発明の第５実施例による撮像レンズ５００において、第３レンズ５３０の焦点距離をＦ３、第４レンズ５４０の焦点距離をＦ４、撮像レンズ５００の全体焦点距離をＦとしたときに、次の条件式を満たすことができる。
【０４９４】
０＜｜Ｆ／Ｆ３｜＋｜Ｆ／Ｆ４｜＜３    （１１）
【０４９５】
前記条件式（１１）は、本発明の第５実施例による第３レンズ５３０及び第４レンズ５４０の屈折力に係る関係式であり、前記条件式（１１）を満たすことにより、収差を低減させることができる。
【０４９６】
また、本発明の第５実施例による撮像レンズ５００において、第１レンズ５１０の像面側の面の曲率半径をｒ１２、撮像レンズ５００の全体焦点距離をＦとしたときに、次の条件式を満たすことができる。
【０４９７】
０．１５＜ｒ１２／Ｆ＜０．９    （１２）
【０４９８】
前記条件式（１２）は、本発明の第５実施例による第１レンズ５１０の像面側の面の曲率半径に係るパワーの関係式であり、前記条件式（１２）を満たすことにより、光学特性に優れた撮像レンズ５００を形成することができる。
【０４９９】
また、本発明の第５実施例による撮像レンズ５００において、第１レンズ５１０の焦点距離をＦ１、第３レンズ５３０の焦点距離をＦ３としたときに、次の条件式を満たすことができる。
【０５００】
０＜｜Ｆ１／Ｆ３｜＜２５    （１３）
【０５０１】
前記条件式（１３）は、本発明の第５実施例による第１レンズ５１０及び第３レンズ５３０のパワーの関係式であり、前記条件式（１３）を満たすことにより、光学特性に優れた撮像レンズ５００を形成することができる。
【０５０２】
また、本発明の第５実施例による撮像レンズ５００において、第５レンズ５５０の物体側の面の曲率半径をｒ９、第５レンズ５５０の像面側の面の曲率半径をｒ１０としたときに、次の条件式を満たすことができる。
【０５０３】
０＜｜（ｒ９−ｒ１０）／（ｒ９＋ｒ１０）｜＜６    （１４）
【０５０４】
前記条件式（１４）は、本発明の第５実施例による第５レンズ５５０のパワーの関係式であり、前記条件式（１４）を満たすことにより、正（＋）のパワーを有する第５レンズ５５０を形成することができる。
【０５０５】
また、本発明の第５実施例による撮像レンズ５００において、撮像レンズ５００の全体焦点距離をＦ、第１レンズ５１０の焦点距離をＦ１、第２レンズ５２０の焦点距離をＦ２としたときに、次の条件式を満たすことができる。
【０５０６】
０．２＜｜Ｆ／Ｆ１｜＋｜Ｆ／Ｆ２｜＜４    （１５）
【０５０７】
前記条件式（１５）は、本発明の第５実施例による撮像レンズ５００全体のパワーを決定する関係式であり、前記条件式（１５）を満たすことにより、光学特性に優れた撮像レンズ５００を形成することができる。
【０５０８】
また、本発明の第５実施例による撮像レンズ５００において、第１レンズ５１０の焦点距離をＦ１、第２レンズ５２０の焦点距離をＦ２、第３レンズ５３０の焦点距離をＦ３、第４レンズ５４０の焦点距離をＦ４としたときに、次の条件式を満たすことができる。
【０５０９】
０＜（｜Ｆ１｜＋｜Ｆ２｜）／（｜Ｆ３｜＋｜Ｆ４｜）＜３０    （１６）
【０５１０】
前記条件式（１６）は、本発明の第５実施例による第１レンズ５１０、第２レンズ５２０、第３レンズ５３０及び第４レンズ５４０のパワーの関係式であり、前記条件式（１６）を満たすことにより、光学特性に優れた撮像レンズ５００を形成することができる。
【０５１１】
また、本発明の第５実施例による撮像レンズ５００において、撮像レンズ５００の全体焦点距離をＦ、第４レンズ５４０の焦点距離をＦ４、第５レンズ５５０の焦点距離をＦ５、第６レンズ５６０の焦点距離をＦ６としたときに、次の条件式を満たすことができる。
【０５１２】
０．２０＜｜Ｆ／Ｆ４｜＋｜Ｆ／Ｆ５｜＋｜Ｆ／Ｆ６｜＜７．５    （１７）
【０５１３】
前記条件式（１７）は、本発明の第５実施例による第４レンズ５４０、第５レンズ５５０及び第６レンズ５６０のパワーの関係式であり、前記条件式（１７）を満たすことにより、光学特性に優れた撮像レンズ５００を形成することができる。
【０５１４】
また、本発明の第５実施例による撮像レンズ５００において、撮像レンズ５００の全体焦点距離をＦ、光軸上で第１レンズ５１０の物体側の面と第６レンズ５６０の像面側の面との間の距離をＤＬとしたときに、次の条件式を満たすことができる。
【０５１５】
０．７＜ＤＬ／Ｆ＜１．２    （１８）
【０５１６】
前記条件式（１８）を満たすことにより、コンパクト（ｃｏｍｐａｃｔ）な撮像レンズ５００を形成することができる。
【０５１７】
また、本発明の第５実施例による撮像レンズ５００において、第４レンズ５４０のアッベ数をｖ４、第５レンズ５５０のアッベ数をｖ５としたときに、次の条件式を満たすことができる。
【０５１８】
４２＜ｖ４＋ｖ５＜１１５    （１９）
【０５１９】
前記条件式（１９）は、本発明の第５実施例による第４レンズ５４０と第５レンズ５５０の分散に係る関係式であり、前記条件式（１９）を満たすことにより、光学特性に優れた撮像レンズ５００を形成することができる。
【０５２０】
図１４及び図１５は、本発明の第５実施例による収差特性を示したグラフである。この際、図１４及び図１５は、多数の波長を多数の色で表示して収差特性を示す。
【０５２１】
ここで、図１４は、本発明の第５実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。また、図１５は、本発明の第５実施例によるコマ収差（Ｃｏｍａ  Ａｂｅｒｒａｔｉｏｎ）を測定したグラフである。
【０５２２】
図１４に示したように、球面収差を測定したグラフは各波長による球面収差を示す。ここで、各波長が垂直軸に隣接して示されることから、球面収差特性に優れていることが分かる。
【０５２３】
尚、非点収差を測定したグラフは、物体側からみたときの像面高さ（ＡＮＧＬＥ、垂直軸）及びフォーカス（ＦＯＣＵＳ、水平軸）位置によるｘ軸光の方向成分（Ｘ）とｙ軸光の方向成分（Ｙ）の収差特性を示す。ここで、Ｘ、Ｙが互いに隣接して示されることから、イメージのぼけがなく、解像力の劣化現象が生じないことが分かる。
【０５２４】
また、歪曲収差を測定したグラフは、物体側からみたときの像面高さ（ＡＮＧＬＥ）による歪曲（Ｄｉｓｔｏｒｔｉｏｎ、水平軸)特性を示す。ここで、歪曲度が主に歪曲（Ｄｉｓｔｏｒｔｉｏｎ、水平軸）の−１〜＋１の間に位置していることから、実際に歪曲が殆どないことが分かる。
【０５２５】
図１５に示したように、コマ収差を測定したグラフは、像面の高さによって各波長によるタンジェンシャル（Ｔａｎｇｅｎｔｉａｌ）及びサジタル（Ｓａｇｉｔｔａｌ）の収差特性を示す。この際、各波長が水平軸上に隣接して示されることから、横色収差が小さく現われることが分かる。
【０５２６】
＜第６実施例＞
図１６は、本発明の第６実施例による撮像レンズの内部構造を概略的に示した側断面図である。
【０５２７】
図１６を参照すると、本発明の第６実施例による撮像レンズ６００は、次の表１６に示す光学特性を有する。
【０５２８】
【表１６】
2014059561.tif 000019
【０５２９】
前記表１６に図示されたように、本発明の第６実施例による撮像レンズ６００の前記第１レンズ６１０（Ｌ１）、前記第２レンズ６２０（Ｌ２）、前記第３レンズ６３０（Ｌ３）、前記第４レンズ６４０（Ｌ４）、前記第５レンズ６５０（Ｌ５）及び前記第６レンズ６６０（Ｌ６）は、全ての面が非球面である。
【０５３０】
また、前記表１６に記載の「−」値は、定義されていない値を意味する。
【０５３１】
また、前記Ｓ１は、本発明の実施例において撮像レンズ６００の光量を決定づける面を意味し、前記Ｓ１の備考に記載の「Ｓｔｏｐ」は、光量を調節するために用いられる前記開口絞り６０５（Ｓ１）を意味する。
【０５３２】
ここで、絞り６０５が第１レンズ６１０の物体側の面に配置されているが、本発明の第６実施例による絞り６０５の位置はこれに限定されない。また、本発明の第６実施例による撮像レンズ６００が絞り６０５を必ず含むと限定されるものではない。
【０５３３】
下記の表１７は、本発明の第６実施例による非球面レンズの非球面係数値である。
【０５３４】
【表１７】
2014059561.tif 000020
【０５３５】
前記表１６及び表１７に記載されたように、Ｓ１は光量を調節するために用いられる開口絞り６０５（Ｓ１）であって、平面であるため、非球面係数値がない。
【０５３６】
また、Ｓ１４及びＳ１５はフィルタ６７０であり、Ｓ１６は受光素子６８０であるイメージセンサであって、平面であるため非球面係数値がない。
【０５３７】
図１７は、本発明の第６実施例による収差特性を示したグラフである。この際、図１７は、多数の波長を多数の色で表示して収差特性を示す。
【０５３８】
ここで、図１７は、本発明の第６実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０５３９】
＜第７実施例＞
図１８は、本発明の第７実施例による撮像レンズの内部構造を概略的に示した側断面図である。
【０５４０】
図１８を参照すると、本発明の第７実施例による撮像レンズ7００は、次の表１８に示す光学特性を有する。
【０５４１】
【表１８】
2014059561.tif 000021
【０５４２】
前記表１８に図示されたように、本発明の第７実施例による撮像レンズ７００の前記第１レンズ７１０（Ｌ１）、前記第２レンズ７２０（Ｌ２）、前記第３レンズ７３０（Ｌ３）、前記第４レンズ７４０（Ｌ４）、前記第５レンズ７５０（Ｌ５）及び前記第６レンズ７６０（Ｌ６）は、全ての面が非球面である。
【０５４３】
また、前記表１８に記載の「−」値は、定義されていない値を意味する。
【０５４４】
また、前記Ｓ１は、本発明の実施例において撮像レンズ７００の光量を決定づける面を意味し、前記Ｓ１の備考に記載の「Ｓｔｏｐ」は、光量を調節するために用いられる前記開口絞り７０５（Ｓ１）を意味する。
【０５４５】
ここで、絞り７０５が第１レンズ７１０の物体側の面に配置されているが、本発明の第７実施例による絞り７０５の位置は、これに限定されない。また、本発明の第７実施例による撮像レンズ７００が絞り７０５を必ず含むと限定されるものではない。
【０５４６】
下記の表１９は、本発明の第７実施例による非球面レンズの非球面係数値である。
【０５４７】
【表１９】
2014059561.tif 000022
【０５４８】
前記表１８及び表１９に記載されたように、Ｓ１は、光量を調節するために用いられる開口絞り７０５（Ｓ１）であって、平面であるため、非球面係数値がない。
【０５４９】
また、Ｓ１４及びＳ１５はフィルタ７７０であり、Ｓ１６は受光素子７８０であるイメージセンサであって、平面であるため非球面係数値がない。
【０５５０】
図１９は、本発明の第７実施例による収差特性を示したグラフである。この際、図１９は、多数の波長を多数の色で表示して収差特性を示す。
【０５５１】
ここで、図１９は、本発明の第７実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０５５２】
＜第８実施例＞
図２０は、本発明の第８実施例による撮像レンズの内部構造を概略的に示した側断面図である。
【０５５３】
図２０を参照すると、本発明の第８実施例による撮像レンズ８００は、次の表２０に示す光学特性を有する。
【０５５４】
【表２０】
2014059561.tif 000023
【０５５５】
前記表２０に図示されたように、本発明の第８実施例による撮像レンズ８００の前記第１レンズ８１０（Ｌ１）、前記第２レンズ８２０（Ｌ２）、前記第３レンズ８３０（Ｌ３）、前記第４レンズ８４０（Ｌ４）、前記第５レンズ８５０（Ｌ５）及び前記第６レンズ８６０（Ｌ６）は、全ての面が非球面である。
【０５５６】
また、前記表２０に記載の「−」値は、定義されていない値を意味する。
【０５５７】
また、前記Ｓ１は、本発明の実施例において撮像レンズ８００の光量を決定づける面を意味し、前記Ｓ１の備考に記載の「Ｓｔｏｐ」は、光量を調節するために用いられる前記開口絞り８０５（Ｓ１）を意味する。
【０５５８】
ここで、絞り８０５が第１レンズ８１０の物体側の面に配置されているが、本発明の第８実施例による絞り８０５の位置は、これに限定されない。また、本発明の第８実施例による撮像レンズ８００が絞り８０５を必ず含むと限定されるものではない。
【０５５９】
下記の表２１は、本発明の第８実施例による非球面レンズの非球面係数値である。
【０５６０】
【表２１】
2014059561.tif 000024
【０５６１】
前記表２０及び表２１に記載されたように、Ｓ１は光量を調節するために用いられる開口絞り８０５（Ｓ１）であって、平面であるため、非球面係数値がない。
【０５６２】
また、Ｓ１４及びＳ１５はフィルタ８７０であり、Ｓ１６は受光素子８８０であるイメージセンサであって、平面であるため非球面係数値がない。
【０５６３】
図２１は、本発明の第８実施例による収差特性を示したグラフである。この際、図２１は、多数の波長を多数の色で表示して収差特性を示す。
【０５６４】
ここで、図２１は、本発明の第８実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０５６５】
＜第９実施例＞
図２２は、本発明の第９実施例による撮像レンズの内部構造を概略的に示した側断面図である。
【０５６６】
図２２を参照すると、本発明の第９実施例による撮像レンズ９００は、次の表２２に示す光学特性を有する。
【０５６７】
【表２２】
2014059561.tif 000025
【０５６８】
前記表２２に図示されたように、本発明の第９実施例による撮像レンズ９００の前記第１レンズ９１０（Ｌ１）、前記第２レンズ９２０（Ｌ２）、前記第３レンズ９３０（Ｌ３）、前記第４レンズ９４０（Ｌ４）、前記第５レンズ９５０（Ｌ５）及び前記第６レンズ９６０（Ｌ６）は、全ての面が非球面である。
【０５６９】
また、前記表２２に記載の「−」値は、定義されていない値を意味する。
【０５７０】
また、前記Ｓ１は、本発明の実施例において撮像レンズ９００の光量を決定づける面を意味し、前記Ｓ１の備考に記載の「Ｓｔｏｐ」は、光量を調節するために用いられる前記開口絞り９０５（Ｓ１）を意味する。
【０５７１】
ここで、絞り９０５が第１レンズ９１０の物体側の面に配置されているが、本発明の第９実施例による絞り９０５の位置は、これに限定されない。また、本発明の第９実施例による撮像レンズ９００が絞り９０５を必ず含むと限定されるものではない。
【０５７２】
下記の表２３は、本発明の第９実施例による非球面レンズの非球面係数値である。
【０５７３】
【表２３】
2014059561.tif 000026
【０５７４】
前記表２２及び表２３に記載されたように、Ｓ１は、光量を調節するために用いられる開口絞り９０５（Ｓ１）であって、平面であるため、非球面係数値がない。
【０５７５】
また、Ｓ１４及びＳ１５はフィルタ９７０であり、Ｓ１６は受光素子９８０であるイメージセンサであって、平面であるため、非球面係数値がない。
【０５７６】
図２３は、本発明の第９実施例による収差特性を示したグラフである。この際、図２３は、多数の波長を多数の色で表示して収差特性を示す。
【０５７７】
ここで、図２３は、本発明の第９実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０５７８】
＜第１０実施例＞
図１０は、本発明の第１０実施例による撮像レンズの内部構造を概略的に示した側断面図である。
【０５７９】
図１０を参照すると、本発明の第１０実施例による撮像レンズ１０００は、次の表２４に示す光学特性を有する。
【０５８０】
【表２４】
2014059561.tif 000027
【０５８１】
前記表２４に図示されたように、本発明の第１０実施例による撮像レンズ１０００の前記第１レンズ１０１０（Ｌ１）、前記第２レンズ１０２０（Ｌ２）、前記第３レンズ１０３０（Ｌ３）、前記第４レンズ１０４０（Ｌ４）、前記第５レンズ１０５０（Ｌ５）及び前記第６レンズ１０６０（Ｌ６）は、全ての面が非球面である。
【０５８２】
また、前記表２４に記載の「−」値は、定義されていない値を意味する。
【０５８３】
また、前記Ｓ１は、本発明の実施例において撮像レンズ１０００の光量を決定づける面を意味し、前記Ｓ１の備考に記載の「Ｓｔｏｐ」は、光量を調節するために用いられる前記開口絞り１００５（Ｓ１）を意味する。
【０５８４】
ここで、絞り１００５が第１レンズ１０１０の物体側の面に配置されているが、本発明の第１０実施例による絞り１００５の位置はこれに限定されない。また、本発明の第１０実施例による撮像レンズ１０００が絞り１００５を必ず含むと限定されるものではない。
【０５８５】
下記の表２５は、本発明の第１０実施例による非球面レンズの非球面係数値である。
【０５８６】
【表２５】
2014059561.tif 000028
【０５８７】
前記表２４及び表２５に記載されたように、Ｓ１は光量を調節するために用いられる開口絞り１００５（Ｓ１）であって、平面であるため非球面係数値がない。
【０５８８】
また、Ｓ１４及びＳ１５はフィルタ１０７０であり、Ｓ１６は受光素子１０８０であるイメージセンサであって、平面であるため非球面係数値がない。
【０５８９】
図２５は、本発明の第１０実施例による収差特性を示したグラフである。この際、図２５は、多数の波長を多数の色で表示して収差特性を示す。
【０５９０】
ここで、図２５は、本発明の第１０実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０５９１】
＜第１１実施例＞
図２６は、本発明の第１１実施例による撮像レンズの内部構造を概略的に示した側断面図である。
【０５９２】
図２６を参照すると、本発明の第１１実施例による撮像レンズ１１００は、次の表２６に示す光学特性を有する。
【０５９３】
【表２６】
2014059561.tif 000029
前記表２６に図示されたように、本発明の第１１実施例による撮像レンズ１１００の前記第１レンズ１１１０（Ｌ１）、前記第２レンズ１１２０（Ｌ２）、前記第３レンズ１１３０（Ｌ３）、前記第４レンズ１１４０（Ｌ４）、前記第５レンズ１１５０（Ｌ５）及び前記第６レンズ１１６０（Ｌ６）は、全ての面が非球面である。
【０５９４】
また、前記表２６に記載の「−」値は、定義されていない値を意味する。
【０５９５】
また、前記Ｓ１は、本発明の実施例において撮像レンズ１１００の光量を決定づける面を意味し、前記Ｓ１の備考に記載の「Ｓｔｏｐ」は、光量を調節するために用いられる前記開口絞り１１０５（Ｓ１）を意味する。
【０５９６】
ここで、絞り１１０５が第１レンズ１１１０の物体側の面に配置されているが、本発明の第１１実施例による絞り１１０５の位置は、これに限定されない。また、本発明の第１１実施例による撮像レンズ１１００が絞り１１０５を必ず含むと限定されるものではない。
【０５９７】
下記の表２７は、本発明の第１１実施例による非球面レンズの非球面係数値である。
【０５９８】
【表２７】
2014059561.tif 000030
【０５９９】
前記表２６及び表２７に記載されたように、Ｓ１は、光量を調節するために用いられる開口絞り１１０５（Ｓ１）であって、平面であるため、非球面係数値がない。
【０６００】
また、Ｓ１４及びＳ１５はフィルタ１１７０であり、Ｓ１６は受光素子１１８０であるイメージセンサであって、平面であるため、非球面係数値がない。
【０６０１】
図２７は、本発明の第１１実施例による収差特性を示したグラフである。この際、図２７は、多数の波長を多数の色で表示して収差特性を示す。
【０６０２】
ここで、図２７は、本発明の第１１実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０６０３】
＜第１２実施例＞
図２８は、本発明の第１２実施例による撮像レンズの内部構造を概略的に示した側断面図である。
【０６０４】
図２８を参照すると、本発明の第１２実施例による撮像レンズ１２００は、次の表２８に示す光学特性を有する。
【０６０５】
【表２８】
2014059561.tif 000031
【０６０６】
前記表２８に図示されたように、本発明の第１２実施例による撮像レンズ１２００の前記第１レンズ１２１０（Ｌ１）、前記第２レンズ１２２０（Ｌ２）、前記第３レンズ１２３０（Ｌ３）、前記第４レンズ１２４０（Ｌ４）、前記第５レンズ１２５０（Ｌ５）及び前記第６レンズ１２６０（Ｌ６）は、全ての面が非球面である。
【０６０７】
また、前記表２８に記載の「−」値は、定義されていない値を意味する。
【０６０８】
また、前記Ｓ１は、本発明の実施例において撮像レンズ１２００の光量を決定づける面を意味し、前記Ｓ１の備考に記載の「Ｓｔｏｐ」は、光量を調節するために用いられる前記開口絞り１２０５（Ｓ１）を意味する。
【０６０９】
ここで、絞り１２０５が第１レンズ１２１０の物体側の面に配置されているが、本発明の第１２実施例による絞り１２０５の位置は、これに限定されない。また、本発明の第１２実施例による撮像レンズ１２００が絞り１２０５を必ず含むと限定されるものではない。
【０６１０】
下記の表２９は、本発明の第１２実施例による非球面レンズの非球面係数値である。
【０６１１】
【表２９】
2014059561.tif 000032
【０６１２】
前記表２８及び表２９に記載されたように、Ｓ１は、光量を調節するために用いられる開口絞り１２０５（Ｓ１）であって、平面であるため、非球面係数値がない。
【０６１３】
また、Ｓ１４及びＳ１５はフィルタ１２７０であり、Ｓ１６は受光素子１２８０であるイメージセンサであって、平面であるため非球面係数値がない。
【０６１４】
図２９は、本発明の第1２実施例による収差特性を示したグラフである。この際、図２９は多数の波長を多数の色で表示して収差特性を示す。
【０６１５】
ここで、図２９は、本発明の第1２実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０６１６】
＜第１３実施例＞
図３０は、本発明の第１３実施例による撮像レンズの内部構造を概略的に示した側断面図である。
【０６１７】
図３０を参照すると、本発明の第１３実施例による撮像レンズ１３００は、次の表３０に示す光学特性を有する。
【０６１８】
【表３０】
2014059561.tif 000033
【０６１９】
前記表３０に図示されたように、本発明の第１３実施例による撮像レンズ１３００の前記第１レンズ１３１０（Ｌ１）、前記第２レンズ１３２０（Ｌ２）、前記第３レンズ１３３０（Ｌ３）、前記第４レンズ１３４０（Ｌ４）、前記第５レンズ１３５０（Ｌ５）及び前記第６レンズ１３６０（Ｌ６）は、全ての面が非球面である。
【０６２０】
また、前記表３０に記載の「−」値は、定義されていない値を意味する。
【０６２１】
また、前記Ｓ１は、本発明の実施例において撮像レンズ１３００の光量を決定づける面を意味し、前記Ｓ１の備考に記載の「Ｓｔｏｐ」は、光量を調節するために用いられる前記開口絞り１３０５（Ｓ１）を意味する。
【０６２２】
ここで、絞り１３０５が第１レンズ１３１０の物体側の面に配置されているが、本発明の第１３実施例による絞り１３０５の位置はこれに限定されない。また、本発明の第１３実施例による撮像レンズ１３００が絞り１３０５を必ず含むと限定されるものではない。
【０６２３】
下記の表３１は、本発明の第１３実施例による非球面レンズの非球面係数値である。
【０６２４】
【表３１】
2014059561.tif 000034
【０６２５】
前記表３０及び表３１に記載されたように、Ｓ１は、光量を調節するために用いられる開口絞り１３０５（Ｓ１）であって、平面であるため、非球面係数値がない。
【０６２６】
また、Ｓ１４及びＳ１５はフィルタ１３７０であり、Ｓ１６は受光素子１３８０であるイメージセンサであって、平面であるため、非球面係数値がない。
【０６２７】
図３１は、本発明の第１３実施例による収差特性を示したグラフである。この際、図３１は、多数の波長を多数の色で表示して収差特性を示す。
【０６２８】
ここで、図３１は、本発明の第１３実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０６２９】
＜第１４実施例＞
図３２は、本発明の第１４実施例による撮像レンズの内部構造を概略的に示した側断面図である。
【０６３０】
図３２を参照すると、本発明の第１４実施例による撮像レンズ１４００は、次の表３２に示す光学特性を有する。
【０６３１】
【表３２】
2014059561.tif 000035
【０６３２】
前記表３２に図示されたように、本発明の第１４実施例による撮像レンズ１４００の前記第１レンズ１４１０（Ｌ１）、前記第２レンズ１４２０（Ｌ２）、前記第３レンズ１４３０（Ｌ３）、前記第４レンズ１４４０（Ｌ４）、前記第５レンズ１４５０（Ｌ５）及び前記第６レンズ１４６０（Ｌ６）は、全ての面が非球面である。
【０６３３】
また、前記表３２に記載の「−」値は、定義されていない値を意味する。
【０６３４】
また、前記Ｓ１は、本発明の実施例において撮像レンズ１４００の光量を決定づける面を意味し、前記Ｓ１の備考に記載の「Ｓｔｏｐ」は、光量を調節するために用いられる前記開口絞り１４０５（Ｓ１）を意味する。
【０６３５】
ここで、絞り１４０５が第１レンズ１４１０の物体側の面に配置されているが、本発明の第１４実施例による絞り１４０５の位置はこれに限定されない。また、本発明の第１４実施例による撮像レンズ１４００が絞り１４０５を必ず含むと限定されるものではない。
【０６３６】
下記の表３３は、本発明の第１４実施例による非球面レンズの非球面係数値である。
【０６３７】
【表３３】
2014059561.tif 000036
【０６３８】
前記表３２及び表３３に記載されたように、Ｓ１は、光量を調節するために用いられる開口絞り１４０５（Ｓ１）であって、平面であるため、非球面係数値がない。
【０６３９】
また、Ｓ１４及びＳ１５はフィルタ１４７０であり、Ｓ１６は受光素子１４８０であるイメージセンサであって、平面であるため、非球面係数値がない。
【０６４０】
図３３は、本発明の第１４実施例による収差特性を示したグラフである。この際、図３３は、多数の波長を多数の色で表示して収差特性を示す。
【０６４１】
ここで、図３３は、本発明の第１４実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０６４２】
＜第１５実施例＞
図３４は、本発明の第１５実施例による撮像レンズの内部構造を概略的に示した側断面図である。
【０６４３】
図３４を参照すると、本発明の第１５実施例による撮像レンズ１５００は、次の表３４に示す光学特性を有する。
【０６４４】
【表３４】
2014059561.tif 000037
【０６４５】
前記表３４に図示されたように、本発明の第１５実施例による撮像レンズ１５００の前記第１レンズ１５１０（Ｌ１）、前記第２レンズ１５２０（Ｌ２）、前記第３レンズ１５３０（Ｌ３）、前記第４レンズ１５４０（Ｌ４）、前記第５レンズ１５５０（Ｌ５）及び前記第６レンズ１５６０（Ｌ６）は、全ての面が非球面である。
【０６４６】
また、前記表３４に記載の「−」値は、定義されていない値を意味する。
【０６４７】
また、前記Ｓ１は、本発明の実施例において撮像レンズ１５００の光量を決定づける面を意味し、前記Ｓ１の備考に記載の「Ｓｔｏｐ」は、光量を調節するために用いられる前記開口絞り１５０５（Ｓ１）を意味する。
【０６４８】
ここで、絞り１５０５が第１レンズ１５１０の物体側の面に配置されているが、本発明の第１５実施例による絞り１５０５の位置は、これに限定されない。また、本発明の第１５実施例による撮像レンズ１５００が絞り１５０５を必ず含むと限定されるものではない。
【０６４９】
下記の表３５は、本発明の第１５実施例による非球面レンズの非球面係数値である。
【０６５０】
【表３５】
2014059561.tif 000038
【０６５１】
前記表３４及び表３５に記載されたように、Ｓ１は、光量を調節するために用いられる開口絞り１５０５（Ｓ１）であって、平面であるため、非球面係数値がない。
【０６５２】
また、Ｓ１４及びＳ１５はフィルタ１５７０であり、Ｓ１６は受光素子１５８０であるイメージセンサであって、平面であるため非球面係数値がない。
【０６５３】
図３５は、本発明の第１５実施例による収差特性を示したグラフである。この際、図３５は、多数の波長を多数の色で表示して収差特性を示す。
【０６５４】
ここで、図３５は、本発明の第１５実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０６５５】
＜第１６実施例＞
図３６は、本発明の第１６実施例による撮像レンズの内部構造を概略的に示した側断面図である。
【０６５６】
図３６を参照すると、本発明の第１６実施例による撮像レンズ１６００は、次の表３６に示す光学特性を有する。
【０６５７】
【表３６】
2014059561.tif 000039
【０６５８】
前記表３６に図示されたように、本発明の第１６実施例による撮像レンズ１６００の前記第１レンズ１６１０（Ｌ１）、前記第２レンズ１６２０（Ｌ２）、前記第３レンズ１６３０（Ｌ３）、前記第４レンズ１６４０（Ｌ４）、前記第５レンズ１６５０（Ｌ５）及び前記第６レンズ１６６０（Ｌ６）は、全ての面が非球面である。
【０６５９】
また、前記表３６に記載の「−」値は、定義されていない値を意味する。
【０６６０】
また、前記Ｓ１は、本発明の実施例において撮像レンズ１６００の光量を決定づける面を意味し、前記Ｓ１の備考に記載の「Ｓｔｏｐ」は、光量を調節するために用いられる前記開口絞り１６０５（Ｓ１）を意味する。
【０６６１】
ここで、絞り１６０５が第１レンズ１６１０の物体側の面に配置されているが、本発明の第１６実施例による絞り１６０５の位置は、これに限定されない。また、本発明の第１６実施例による撮像レンズ１６００が絞り１６０５を必ず含むと限定されるものではない。
【０６６２】
下記の表３７は、本発明の第１６実施例による非球面レンズの非球面係数値である。
【０６６３】
【表３７】
2014059561.tif 000040
【０６６４】
前記表３６及び表３７に記載されたように、Ｓ１は、光量を調節するために用いられる開口絞り１６０５（Ｓ１）であって、平面であるため、非球面係数値がない。
【０６６５】
また、Ｓ１４及びＳ１５はフィルタ１６７０であり、Ｓ１６は受光素子１６８０であるイメージセンサであって、平面であるため、非球面係数値がない。
【０６６６】
図３７は、本発明の第１６実施例による収差特性を示したグラフである。この際、図３７は、多数の波長を多数の色で表示して収差特性を示す。
【０６６７】
ここで、図３７は、本発明の第１６実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０６６８】
＜第１７実施例＞
図３８は、本発明の第１７実施例による撮像レンズの内部構造を概略的に示した側断面図である。
【０６６９】
図３８を参照すると、本発明の第１７実施例による撮像レンズ１７００は、次の表４１に示す光学特性を有する。
【０６７０】
【表３８】
2014059561.tif 000041
【０６７１】
前記表３８に図示されたように、本発明の第１７実施例による撮像レンズ１７００の前記第１レンズ１７１０（Ｌ１）、前記第２レンズ１７２０（Ｌ２）、前記第３レンズ１７３０（Ｌ３）、前記第４レンズ１７４０（Ｌ４）、前記第５レンズ１７５０（Ｌ５）及び前記第６レンズ１７６０（Ｌ６）は、全ての面が非球面である。
【０６７２】
また、前記表３８に記載の「−」値は、定義されていない値を意味する。
【０６７３】
また、前記Ｓ１は、本発明の実施例において撮像レンズ１７００の光量を決定づける面を意味し、前記Ｓ１の備考に記載の「Ｓｔｏｐ」は、光量を調節するために用いられる前記開口絞り１７０５（Ｓ１）を意味する。
【０６７４】
ここで、絞り１７０５が第１レンズ１７１０の物体側の面に配置されているが、本発明の第１７実施例による絞り１７０５の位置はこれに限定されない。また、本発明の第１７実施例による撮像レンズ１７００が絞り１７０５を必ず含むと限定されるものではない。
【０６７５】
下記の表３９は、本発明の第１７実施例による非球面レンズの非球面係数値である。
【０６７６】
【表３９】
2014059561.tif 000042
【０６７７】
前記表３８及び表３９に記載されたように、Ｓ１は光量を調節するために用いられる開口絞り１７０５（Ｓ１）であって、平面であるため、非球面係数値がない。
【０６７８】
また、Ｓ１４及びＳ１５はフィルタ１７７０であり、Ｓ１６は受光素子１７８０であるイメージセンサであって、平面であるため非球面係数値がない。
【０６７９】
図３９は、本発明の第１７実施例による収差特性を示したグラフである。この際、図３９は、多数の波長を多数の色で表示して収差特性を示す。
【０６８０】
ここで、図３９は、本発明の第１７実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０６８１】
＜第１８実施例＞
図４０は、本発明の第１８実施例による撮像レンズの内部構造を概略的に示した側断面図である。
【０６８２】
図４０を参照すると、本発明の第１８実施例による撮像レンズ１８００は、次の表４０に示す光学特性を有する。
【０６８３】
【表４０】
2014059561.tif 000043
【０６８４】
前記表４０に図示されたように、本発明の第１８実施例による撮像レンズ１８００の前記第１レンズ１８１０（Ｌ１）、前記第２レンズ１８２０（Ｌ２）、前記第３レンズ１８３０（Ｌ３）、前記第４レンズ１８４０（Ｌ４）、前記第５レンズ１８５０（Ｌ５）及び前記第６レンズ１８６０（Ｌ６）は、全ての面が非球面である。
【０６８５】
また、前記表４０に記載の「−」値は、定義されていない値を意味する。
【０６８６】
また、前記Ｓ１は、本発明の実施例において撮像レンズ１８００の光量を決定づける面を意味し、前記Ｓ１の備考に記載の「Ｓｔｏｐ」は、光量を調節するために用いられる前記開口絞り１８０５（Ｓ１）を意味する。
【０６８７】
ここで、絞り１８０６が第１レンズ１８１０の物体側の面に配置されているが、本発明の第１８実施例による絞り１８０５の位置はこれに限定されない。また、本発明の第１８実施例による撮像レンズ１８００が絞り１８０５を必ず含むと限定されるものではない。
【０６８８】
下記の表４１は、本発明の第１８実施例による非球面レンズの非球面係数値である。
【０６８９】
【表４１】
2014059561.tif 000044
【０６９０】
前記表４０及び表４１に記載されたように、Ｓ１は、光量を調節するために用いられる開口絞り１８０５（Ｓ１）であって、平面であるため、非球面係数値がない。
【０６９１】
また、Ｓ１４及びＳ１５はフィルタ１８７０であり、Ｓ１６は受光素子１８８０であるイメージセンサであって、平面であるため、非球面係数値がない。
【０６９２】
図４１は、本発明の第１８実施例による収差特性を示したグラフである。この際、図４１は、多数の波長を多数の色で表示して収差特性を示す。
【０６９３】
ここで、図４１は、本発明の第１８実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０６９４】
＜第１９実施例＞
図４２は、本発明の第１９実施例による撮像レンズの内部構造を概略的に示した側断面図である。
【０６９５】
図４２を参照すると、本発明の第１９実施例による撮像レンズ１９００は、次の表４２に示す光学特性を有する。
【０６９６】
【表４２】
2014059561.tif 000045
【０６９７】
前記表４２に図示されたように、本発明の第１９実施例による撮像レンズ１９００の前記第１レンズ１９１０（Ｌ１）、前記第２レンズ１９２０（Ｌ２）、前記第３レンズ１９３０（Ｌ３）、前記第４レンズ１９４０（Ｌ４）、前記第５レンズ１９５０（Ｌ５）及び前記第６レンズ１９６０（Ｌ６）は、全ての面が非球面である。
【０６９８】
また、前記表４２に記載の「−」値は、定義されていない値を意味する。
【０６９９】
また、前記Ｓ１は、本発明の実施例において撮像レンズ１９００の光量を決定づける面を意味し、前記Ｓ１の備考に記載の「Ｓｔｏｐ」は、光量を調節するために用いられる前記開口絞り１９０５（Ｓ１）を意味する。
【０７００】
ここで、絞り１９０５が第１レンズ１９１０の物体側の面に配置されているが、本発明の第１９実施例による絞り１９０５の位置はこれに限定されない。また、本発明の第１９実施例による撮像レンズ１９００が絞り１９０５を必ず含むと限定されるものではない。
【０７０１】
下記の表４３は、本発明の第１９実施例による非球面レンズの非球面係数値である。
【０７０２】
【表４３】
2014059561.tif 000046
【０７０３】
前記表４２及び表４３に記載されたように、Ｓ１は、光量を調節するために用いられる開口絞り１９０５（Ｓ１）であって、平面であるため、非球面係数値がない。
【０７０４】
また、Ｓ１４及びＳ１５はフィルタ１９７０であり、Ｓ１６は受光素子１９８０であるイメージセンサであって、平面であるため非球面係数値がない。
【０７０５】
図４３は、本発明の第１９実施例による収差特性を示したグラフである。この際、図４３は、多数の波長を多数の色で表示して収差特性を示す。
【０７０６】
ここで、図４３は、本発明の第１９実施例による球面収差（Ｌｏｎｇｉｔｕｄｉｎａｌ  Ｓｐｈｅｒｉｃａｌ  Ａｂｅｒｒａｔｉｏｎ）、非点収差（Ａｓｔｉｇｍａｔｉｃ  Ｆｉｅｌｄ  Ｃｕｒｖｅｓ）、及び歪曲収差（Ｄｉｓｔｏｒｔｉｏｎ）を測定したグラフである。
【０７０７】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【０７０８】
本発明の単純な変形乃至変更はいずれも本発明の領域に属するものであり、本発明の具体的な保護範囲は添付の特許請求の範囲により明確になるであろう。
【産業上の利用可能性】
【０７０９】
本発明は、撮像レンズに適用可能である。
【符号の説明】
【０７１０】
１００、２００、３００、４００、５００  撮像レンズ
１０５、２０５、３０５、４０５、５０５  絞り
１１０、２１０、３１０、４１０、５１０  第１レンズ
１２０、２２０、３２０、４２０、５２０  第２レンズ
１３０、２３０、３３０、４３０、５３０  第３レンズ
１４０、２４０、３４０、４４０、５４０  第４レンズ
１５０、２５０、３５０、４５０、５５０  第５レンズ
１６０、２６０、３６０、４６０、５６０  第６レンズ
１７０、２７０、３７０、４７０、５７０  フィルタ
１８０、２８０、３８０、４８０、５８０  受光素子
【図１】
2014059561.tif 000047
【図４】
2014059561.tif 000048
【図７】
2014059561.tif 000049
【図１０】
2014059561.tif 000050
【図１３】
2014059561.tif 000051
【図１６】
2014059561.tif 000052
【図１８】
2014059561.tif 000053
【図２０】
2014059561.tif 000054
【図２２】
2014059561.tif 000055
【図２４】
2014059561.tif 000056
【図２６】
2014059561.tif 000057
【図２８】
2014059561.tif 000058
【図３０】
2014059561.tif 000059
【図３２】
2014059561.tif 000060
【図３４】
2014059561.tif 000061
【図３６】
2014059561.tif 000062
【図３８】
2014059561.tif 000063
【図４０】
2014059561.tif 000064
【図４２】
2014059561.tif 000065
【図２】
2014059561.tif 000066
【図３】
2014059561.tif 000067
【図５】
2014059561.tif 000068
【図６】
2014059561.tif 000069
【図８】
2014059561.tif 000070
【図９】
2014059561.tif 000071
【図１１】
2014059561.tif 000072
【図１２】
2014059561.tif 000073
【図１４】
2014059561.tif 000074
【図１５】
2014059561.tif 000075
【図１７】
2014059561.tif 000076
【図１９】
2014059561.tif 000077
【図２１】
2014059561.tif 000078
【図２３】
2014059561.tif 000079
【図２５】
2014059561.tif 000080
【図２７】
2014059561.tif 000081
【図２９】
2014059561.tif 000082
【図３１】
2014059561.tif 000083
【図３３】
2014059561.tif 000084
【図３５】
2014059561.tif 000085
【図３７】
2014059561.tif 000086
【図３９】
2014059561.tif 000087
【図４１】
2014059561.tif 000088
【図４３】
2014059561.tif 000089